(57)【要約】  本発明の電力供給システムは、発電システム（１０１）と、発電システム（１０１）及び外部電力負荷（１０５）へ電力供給を行う蓄電ユニット（１０７）と、発電システム（１０１）を起動するときに発電システム（１０１）の起動電力と外部電力負荷（１０５）の消費電力との合計、及び発電システム（１０１）の発電を停止するときに発電システム（１０１）の停止電力と外部電力負荷（１０５）の消費電力との合計の少なくともいずれか一方の合計が電力系統（１０４）から受電可能な上限電力を超えると予測される場合に、電力系統（１０４）から供給される電力量が、上限電力を超えないように、蓄電ユニット（１０７）の電力を発電システム（１０１）及び外部電力負荷（１０５）の少なくともいずれか一方に供給するように制御する制御装置（１１０）と、を備える。
2012014474.tif 000002
【特許請求の範囲】
【請求項１】
発電システムと、
前記発電システム及び外部電力負荷へ電力供給を行う蓄電ユニットと、
前記発電システムを起動するときに、前記発電システムの起動電力と前記外部電力負荷の消費電力との合計が電力系統から受電可能な上限電力を超えると予測される場合に、前記電力系統から供給される電力が、前記上限電力を超えないように、前記蓄電ユニットの電力を前記発電システム及び前記外部電力負荷の少なくともいずれか一方に供給するように制御する第１の制御、及び、前記発電システムの発電を停止するときに前記発電システムの停止電力と前記外部電力負荷の消費電力との合計が電力系統から受電可能な上限電力を超えると予測される場合に、前記電力系統から供給される電力が、前記上限電力を超えないように、前記蓄電ユニットの電力を前記発電システム及び前記外部電力負荷の少なくともいずれか一方に供給するように制御する第２の制御、の少なくともいずれか一方を実行するように構成されている制御装置と、を備える、電力供給システム。
【請求項２】
前記制御装置は、前記蓄電ユニットの蓄電量に基づいて前記発電システムの起動の許否を決定するように構成されている、請求項１記載の電力供給システム。
【請求項３】
前記制御装置は、前記蓄電ユニットの蓄電量に基づいて前記発電システムの起動モードを前記起動電力が相対的に大きい第１の起動モードと、前記起動電力が相対的に小さい第２の起動モードとの間で切替えるように構成されている、請求項１記載の電力供給システム。
【請求項４】
前記制御装置は、前記第２の起動モード中において、前記電力系統より前記蓄電ユニットに充電するように制御する、請求項３記載の電力供給システム。
【請求項５】
前記制御装置は、前記充電により蓄電ユニットの蓄電量が増加すると、前記第１の起動モードに切替えるように構成されている、請求項４記載の電力供給システム。
【請求項６】
前記制御装置は、前記外部電力負荷の消費電力が減少すると、前記第１の起動モードに切替えるように構成されている、請求項３記載の電力供給システム。
【請求項７】
前記制御装置は、前記蓄電ユニットからの供給可能電力に基づいて前記発電システムの起動の許否を決定するように構成されている、請求項１記載の電力供給システム。
【請求項８】
前記制御装置は、前記蓄電ユニットからの供給可能電力に基づいて前記発電システムの起動処理の継続の許否を決定するように構成されている、請求項１記載の電力供給システム。
【請求項９】
前記制御装置は、前記蓄電ユニットからの供給可能電力に基づいて前記発電システムの起動モードを前記起動電力が相対的に大きい第１の起動モードと、前記起動電力が相対的に小さい第２の起動モードとの間で切替えるように構成されている、請求項１記載の電力供給システム。
【請求項１０】
前記制御装置は、前記発電システムの起動予定時刻前に前記電力系統より前記蓄電ユニットに充電するよう制御する、請求項１記載の電力供給システム。
【請求項１１】
前記発電システムは、燃料電池システムであり、
前記燃料電池システムは、起動時に発電運転可能な温度に前記燃料電池システムの構成機器を昇温するための電気ヒータを備える、請求項１記載の電力供給システム。
【請求項１２】
前記制御装置は、前記蓄電ユニットの蓄電量に基づいて前記発電システムの発電の停止の許否を決定するように構成されている、請求項１又は２記載の電力供給システム。
【請求項１３】
前記制御装置は、前記蓄電ユニットの蓄電量に基づいて前記発電システムの停止モードを前記停止電力が相対的に大きい第１の停止モードと、前記停止電力が相対的に小さい第２の停止モードとの間で切替えるように構成されている、請求項１又は３記載の電力供給システム。
【請求項１４】
前記制御装置は、前記第２の停止モード中において、前記電力系統より前記蓄電ユニットに充電するように制御する、請求項１３記載の電力供給システム。
【請求項１５】
前記制御装置は、前記充電により前記蓄電ユニットの蓄電量が増加すると、前記第１の停止モードに切替えるように構成されている、請求項１４記載の電力供給システム。
【請求項１６】
前記制御装置は、前記外部電力負荷の消費電力が減少すると、前記第１の停止モードに切替えるように構成されている、請求項１３記載の電力供給システム。
【請求項１７】
前記制御装置は、前記蓄電ユニットからの供給可能電力に基づいて前記発電システムの発電の停止の許否を決定するように構成されている、請求項１又は７記載の電力供給システム。
【請求項１８】
前記制御装置は、前記蓄電ユニットからの供給可能電力に基づいて前記発電システムの発電の停止後の処理動作の継続の許否を決定するように構成されている、請求項１又は８記載の電力供給システム。
【請求項１９】
前記制御装置は、前記蓄電ユニットからの供給可能電力に基づいて前記発電システムの停止モードを前記停止電力が相対的に大きい第１の停止モードと、前記停止電力が相対的に小さい第２の停止モードとの間で切替えるように構成されている、請求項１又は９記載の電力供給システム。
【請求項２０】
前記制御装置は、前記発電システムの発電の停止予定時刻前に前記電力系統及び前記発電システムの少なくともいずれか一方より前記蓄電ユニットに充電するよう制御する、請求項１又は１０記載の電力供給システム。
【請求項２１】
前記発電システムは、燃料電池システムであり、
前記燃料電池システムは、該燃料電池システムにおける排ガスから回収した水を貯える水タンクを加熱するための電気ヒータを備える、請求項１記載の電力供給システム。
【請求項２２】
前記制御装置は、前記第１の制御及び前記第２の制御の少なくともいずれか一方を実行する場合に、前記電力系統から供給される電力が、前記上限電力を超えないように、前記蓄電ユニットの電力を前記外部電力負荷に供給するように制御する、請求項１に記載の電力供給システム。
【請求項２３】
発電システムと、外部電力負荷及び前記発電システム及び前記外部電力負荷に電力を供給する蓄電ユニットと、を備える電力供給システムを制御する電力供給システムの制御装置であって、
前記電力供給システムの制御装置は、前記発電システムを起動するときに、前記発電システムの起動電力と前記外部電力負荷の消費電力との合計が電力系統から受電可能な上限電力を超えると予測される場合に、前記電力系統から供給される電力が、前記上限電力を超えないように、前記蓄電ユニットの電力を前記発電システム及び前記外部電力負荷の少なくともいずれか一方に供給するように制御する第１の制御、及び、前記発電システムの発電を停止するときに前記発電システムの停止電力と前記外部電力負荷の消費電力との合計が電力系統から受電可能な上限電力を超えると予測される場合に、前記電力系統から供給される電力が、前記上限電力を超えないように、前記蓄電ユニットの電力を前記発電システム及び前記外部電力負荷の少なくともいずれか一方に供給するように制御する第２の制御、の少なくともいずれか一方を実行するように構成されている、電力供給システムの制御装置。
【請求項２４】
前記電力供給システムの制御装置は、前記蓄電ユニットの蓄電量に基づいて前記発電システムの起動の許否を決定するように構成されている、請求項２３記載の電力供給システムの制御装置。
【請求項２５】
前記電力供給システムの制御装置は、前記蓄電ユニットの蓄電量に基づいて前記発電システムの起動モードを前記起動電力が相対的に大きい第１の起動モードと、前記起動電力が相対的に小さい第２の起動モードとの間で切替えるように構成されている、請求項２３記載の電力供給システムの制御装置。
【請求項２６】
前記電力供給システムの制御装置は、前記第２の起動モード中において、前記電力系統より前記蓄電ユニットに充電するように制御する、請求項２５記載の電力供給システムの制御装置。
【請求項２７】
前記電力供給システムの制御装置は、前記充電により前記蓄電ユニットの蓄電量が増加すると、前記第１の起動モードに切替えるように構成されている、請求項２６記載の電力供給システムの制御装置。
【請求項２８】
前記電力供給システムの制御装置は、前記外部電力負荷の消費電力が減少すると、前記第１の起動モードに切替えるように構成されている、請求項２５記載の電力供給システムの制御装置。
【請求項２９】
前記電力供給システムの制御装置は、前記蓄電ユニットからの供給可能電力に基づいて前記発電システムの起動の許否を決定するように構成されている、請求項２３記載の電力供給システムの制御装置。
【請求項３０】
前記電力供給システムの制御装置は、前記蓄電ユニットからの供給可能電力に基づいて前記発電システムの起動処理の継続の許否を決定するように構成されている、請求項２３記載の電力供給システムの制御装置。
【請求項３１】
前記電力供給システムの制御装置は、前記蓄電ユニットからの供給可能電力に基づいて前記発電システムの起動モードを前記起動電力が相対的に大きい第１の起動モードと、前記起動電力が相対的に小さい第２の起動モードとの間で切替えるように構成されている、請求項２３記載の電力供給システムの制御装置。
【請求項３２】
前記電力供給システムの制御装置は、前記発電システムの起動予定時刻前に前記電力系統より前記蓄電ユニットに充電するよう制御する、請求項２３記載の電力供給システムの制御装置。
【請求項３３】
前記電力供給システムの制御装置は、前記蓄電ユニットの蓄電量に基づいて前記発電システムの発電の停止の許否を決定するように構成されている、請求項２３又は２４記載の電力供給システムの制御装置。
【請求項３４】
前記電力供給システムの制御装置は、前記蓄電ユニットの蓄電量に基づいて前記発電システムの停止モードを前記停止電力が相対的に大きい第１の停止モードと、前記停止電力が相対的に小さい第２の停止モードとの間で切替えるように構成されている、請求項２３又は２５記載の電力供給システムの制御装置。
【請求項３５】
前記電力供給システムの制御装置は、前記第２の停止モード中において、前記電力系統より前記蓄電ユニットに充電するように制御する、請求項３４記載の電力供給システムの制御装置。
【請求項３６】
前記電力供給システムの制御装置は、前記充電により前記蓄電ユニットの蓄電量が増加すると、前記第１の停止モードに切替えるように構成されている、請求項３５記載の電力供給システムの制御装置。
【請求項３７】
前記電力供給システムの制御装置は、前記外部電力負荷の消費電力が減少すると、前記第１の停止モードに切替えるように構成されている、請求項３４記載の電力供給システムの制御装置。
【請求項３８】
前記電力供給システムの制御装置は、前記蓄電ユニットからの供給可能電力に基づいて前記発電システムの発電の停止の許否を決定するように構成されている、請求項２３又は２９記載の電力供給システムの制御装置。
【請求項３９】
前記電力供給システムの制御装置は、前記蓄電ユニットからの供給可能電力に基づいて前記発電システムの発電の停止後の処理動作の継続の許否を決定するように構成されている、請求項２３又は３０記載の電力供給システムの制御装置。
【請求項４０】
前記電力供給システムの制御装置は、前記蓄電ユニットからの供給可能電力に基づいて前記発電システムの停止モードを前記停止電力が相対的に大きい第１の停止モードと、前記停止電力が相対的に小さい第２の停止モードとの間で切替えるように構成されている、請求項２３又は３１記載の電力供給システムの制御装置。
【請求項４１】
前記電力供給システムの制御装置は、前記発電システムの発電の停止予定時刻前に前記電力系統及び前記発電ユニットの少なくともいずれか一方より前記蓄電ユニットに充電するよう制御する、請求項２３又は３２記載の電力供給システムの制御装置。
【請求項４２】
前記電力供給システムの制御装置は、前記第１の制御及び前記第２の制御の少なくともいずれか一方を実行する場合に、前記電力系統から供給される電力が、前記上限電力を超えないように、前記蓄電ユニットの電力を前記外部電力負荷に供給するように制御する、請求項２３に記載の電力供給システムの制御装置。
【請求項４３】
発電システムを起動するときに前記発電システムの起動電力と外部電力負荷の消費電力との合計が電力系統から受電可能な上限電力を超えるか否かを予測するステップと、前記合計が前記上限電力を超えると予測される場合に、前記電力系統から供給される電力が、前記上限電力を超えないように、蓄電ユニットの電力を前記発電システム及び前記外部電力負荷の少なくともいずれか一方に供給するステップとを備える第１の制御と、
前記発電システムの発電を停止するときに前記発電システムの停止電力と前記外部電力負荷の消費電力との合計が電力系統から受電可能な上限電力を超えるか否かを予測するステップと、前記合計が前記上限電力を超えると予測される場合に、前記電力系統から供給される電力が、前記上限電力を超えないように、前記蓄電ユニットの電力を前記発電システム及び外部電力負荷の少なくともいずれか一方に供給するステップとを備える第２の制御と、の少なくともいずれか一方を実行する、電力供給システムの運転方法。
【請求項４４】
発電システムを起動するときに前記発電システムの起動電力と外部電力負荷の消費電力との合計が電力系統から受電可能な上限電力を超えるか否かを予測するステップと、前記合計が前記上限電力を超えると予測される場合に、前記電力系統から供給される電力が、前記上限電力を超えないように、蓄電ユニットの電力を前記発電システム及び外部電力負荷の少なくともいずれか一方に供給するステップとを備える第１の制御と、
前記発電システムの発電を停止するときに前記発電システムの起動電力と前記外部電力負荷の消費電力との合計が電力系統から受電可能な上限電力を超えるか否かを予測するステップと、前記合計が前記上限電力を超えると予測される場合に、前記電力系統から供給される電力が、前記上限電力を超えないように、前記蓄電ユニットの電力を前記発電システム及び外部電力負荷の少なくともいずれか一方に供給するステップとを備える第２の制御と、の少なくともいずれか一方を実行する、電力供給システムの制御方法。
【発明の詳細な説明】
【技術分野】
【０００１】
本発明は、発電システムと、発電システムと外部電力負荷に電力を供給する蓄電池と、を備える電力供給システム、電力供給システムの運転方法、及び電力供給システムの制御方法に関する。
【背景技術】
【０００２】
従来、燃料電池やガスエンジン等に例示される発電システムにおいて、発電システムの起動に必要となる起動電力と発電システムの外部電力負荷の消費電力が、契約電力を超えてしまうとブレーカーが落ちてしまい、結局、発電システムの起動停止を余儀なくされる。このような発電システムの起動時にブレーカーが落ちることを抑制するため、発電システムの起動電力と外部電力負荷の消費電力の合計が契約電力を超えてしまう場合には、起動を実行しない発電システムが提案されている（例えば、特許文献１参照）。
【先行技術文献】
【特許文献】
【０００３】
【特許文献１】特開２００６−０１９１６９号公報
【発明の概要】
【発明が解決しようとする課題】
【０００４】
しかしながら、上記特許文献１記載に開示されている発電システムでは、発電システムを起動すると電力系統から供給される電力の上限値（例えば、契約電力）を超えるおそれがあるような、外部電力負荷の消費電力が大きい状態が継続すると、発電システムは、その間、起動できないという第１の課題がある。【０００５】
また、上記従来の発電システムにおいて、発電システムの起動前に電力系統からの上限電力を超えるおそれがないと判断して、発電システムの起動を開始しても、その後、外部電力負荷の消費電力量が増加して上限電力を超えてしまった場合、発電システムの起動が停止されるという第２の課題がある。【０００６】
また、発電システムの発電を停止するときにおいても、起動するときと同様の課題が生じる。【０００７】
例えば、発電システムの発電を停止すると発電システムからの電力が得られないため、外部電力負荷の消費電力が大きいときに発電システムの発電を停止すると、電力系統から供給される電力の上限値（例えば、契約電力）を超えるおそれがあるという第３の課題がある。【０００８】
また、発電システムの発電停止前に電力系統からの上限電力を超えるおそれがないと判断して、発電システムの発電を停止しても、その後、外部電力負荷の消費電力量が増加して上限電力を超えてしまった場合、発電システムの発電停止後の処理動作が中断されるという第４の課題がある。【０００９】
また、本発明は、前記従来の第１の課題―第４の課題のうち、少なくともいずれか一つの課題を解決するもので、従来よりも起動性及び停止性の少なくともいずれか一方が向上する、電力供給システム及び電力供給システム制御装置を提供する。
【課題を解決するための手段】
【００１０】
従来の課題を解決するために、本発明に係る電力供給システムは、発電システムと、前記発電システム及び外部電力負荷へ電力供給を行う蓄電ユニットと、前記発電システムを起動するときに前記発電システムの起動電力と前記外部電力負荷の消費電力との合計が電力系統から受電可能な上限電力を超えると予測される場合に、前記電力系統から供給される電力が、前記上限電力を超えないように、前記蓄電ユニットの電力を前記発電システム及び前記外部電力負荷の少なくともいずれか一方に供給するように制御する第１の制御、及び、前記発電システムの発電を停止するときに前記発電システムの停止電力と前記外部電力負荷の消費電力との合計が電力系統から受電可能な上限電力を超えると予測される場合に、前記電力系統から供給される電力が、前記上限電力を超えないように、前記蓄電ユニットの電力を前記発電システム及び前記外部電力負荷の少なくともいずれか一方に供給するように制御する第２の制御、の少なくともいずれか一方を実行するように構成されている制御装置と、を備える。【００１１】
これにより、従来の発電システムに比して、発電システムの起動性及び停止性の少なくともいずれか一方を向上させながら電力系統からの上限電力を超えることが抑制される。【００１２】
本発明に係る電力供給システムの制御装置は、発電システムと、外部電力負荷及び前記発電システム及び前記外部電力負荷に電力を供給する蓄電ユニットと、を備える電力供給システムを制御する電力供給システムの制御装置であって、前記電力供給システムの制御装置は、前記発電システムを起動するときに前記発電システムの起動電力と前記外部電力負荷の消費電力との合計が電力系統から受電可能な上限電力を超えると予測される場合に、前記電力系統から供給される電力が、前記上限電力を超えないように、前記蓄電ユニットの電力を前記発電システム及び前記外部電力負荷の少なくともいずれか一方に供給するように制御する第１の制御、及び、前記発電システムの発電を停止するときに前記発電システムの停止電力と前記外部電力負荷の消費電力との合計が電力系統から受電可能な上限電力を超えると予測される場合に、前記電力系統から供給される電力が、前記上限電力を超えないように、前記蓄電ユニットの電力を前記発電システム及び前記外部電力負荷の少なくともいずれか一方に供給するように制御する第２の制御、の少なくともいずれか一方を実行するように構成されている。【００１３】
これにより、従来の発電システムに比して、発電システムの起動性及び停止性の少なくともいずれか一方を向上させながら電力系統からの上限電力を超えることが抑制される。【００１４】
本発明に係る電力供給システムの運転方法は、発電システムを起動するときに前記発電システムの起動電力と外部電力負荷の消費電力との合計が電力系統から受電可能な上限電力を超えるか否かを予測するステップと、前記合計が前記上限電力を超えると予測される場合に、前記電力系統から供給される電力が、前記上限電力を超えないように、蓄電ユニットの電力を前記発電システム及び前記外部電力負荷の少なくともいずれか一方に供給するステップとを備える第１の制御と、前記発電システムの発電を停止するときに前記発電システムの停止電力と前記外部電力負荷の消費電力との合計が電力系統から受電可能な上限電力を超えるか否かを予測するステップと、前記合計が前記上限電力を超えると予測される場合に、前記電力系統から供給される電力が、前記上限電力を超えないように、前記蓄電ユニットの電力を前記発電システム及び前記外部電力負荷の少なくともいずれか一方に供給するステップとを備える第２の制御の少なくともいずれか一方を実行する。【００１５】
これにより、従来の発電システムに比して、発電システムの起動性及び停止性の少なくともいずれか一方を向上させながら電力系統からの上限電力を超えることが抑制される。【００１６】
本発明に係る電力供給システムの制御方法は、発電システムを起動するときに前記発電システムの起動電力と外部電力負荷の消費電力との合計が電力系統から受電可能な上限電力を超えるか否かを予測するステップと、前記合計が前記上限電力を超えると予測される場合に、前記電力系統から供給される電力が、前記上限電力を超えないように、蓄電ユニットの電力を前記発電システム及び前記外部電力負荷の少なくともいずれか一方に供給するステップとを備える第１の制御と、前記発電システムの発電を停止するときに前記発電システムの停止電力と前記外部電力負荷の消費電力との合計が電力系統から受電可能な上限電力を超えるか否かを予測するステップと、前記合計が前記上限電力を超えると予測される場合に、前記電力系統から供給される電力が、前記上限電力を超えないように、前記蓄電ユニットの電力を前記発電システム及び前記外部電力負荷の少なくともいずれか一方に供給するステップとを備える第２の制御の少なくともいずれか一方を実行する。【００１７】
これにより、従来の発電システムに比して、発電システムの起動性及び停止性の少なくともいずれか一方を向上させながら電力系統からの上限電力を超えることが抑制される。【００１８】
本発明の上記目的、他の目的、特徴、及び利点は、添付図面参照の下、以下の好適な実施形態の詳細な説明から明らかにされる。
【発明の効果】
【００１９】
本発明の電力供給システム、電力供給システムの制御装置、電力供給システムの運転方法、及び電力供給システムの制御装置によれば、従来の発電システムに比して、発電システムの起動性及び停止性の少なくともいずれか一方を向上させながら、電力系統からの上限電力を超えることが抑制される。
【図面の簡単な説明】
【００２０】
【図１】図１は、本実施の形態１に係る電力供給システム及び電力供給システムの制御装置の概略構成を模式的に示すブロック図の一例である。
【図２Ａ】図２Ａは、本実施の形態１に係る電力供給システムにおける発電システムの起動動作を模式的に示すフローチャートの一例である。
【図２Ｂ】図２Ｂは、本実施の形態１に係る電力供給システムにおける発電システムの発電を停止するときの動作を模式的に示すフローチャートの一例である。
【図３Ａ】図３Ａは、本実施の形態１に係る電力供給システムにおける変形例１の発電システムの概略構成を模式的に示すブロック図の一例である。
【図３Ｂ】図３Ｂは、本実施の形態１に係る電力供給システムにおける変形例２の発電システムの概略構成を模式的に示すブロック図の一例である。
【図４】図４は、本実施の形態２に係る電力供給システムの概略構成を模式的に示すブロック図の一例である。
【図５Ａ】図５Ａは、本実施の形態２に係る電力供給システムにおいて、発電システムを起動するときの動作を模式的に示すフローチャートの一例である。
【図５Ｂ】図５Ｂは、本実施の形態２に係る電力供給システムにおける発電システムの発電を停止するときの動作を模式的に示すフローチャートの一例である。
【図６Ａ】図６Ａは、本実施の形態２に係る電力供給システムの変形例の電力供給システムにおいて、発電システムを起動するときの動作を模式的に示すフローチャートの一例である。
【図６Ｂ】図６Ｂは、本変形例の電力供給システムにおいて、発電システムの発電を停止するときの動作を模式的に示すフローチャートの一例である。
【図７Ａ】図７Ａは、本実施の形態３に係る電力供給システムにおいて、発電システムを起動するときの動作を模式的に示すフローチャートの一例である。
【図７Ｂ】図７Ｂは、本実施の形態３に係る電力供給システムにおいて、発電システムの発電を停止するときの動作を模式的に示すフローチャートの一例である。
【図８Ａ】図８Ａは、本変形例１の電力供給システムにおいて、発電システムを起動するときの動作を模式的に示すフローチャートの一例である。
【図８Ｂ】図８Ｂは、本変形例１の電力供給システムにおいて、発電システムの発電を停止するときの動作を模式的に示すフローチャートの一例である。
【図９Ａ】図９Ａは、本変形例２の電力供給システムにおいて、発電システムを起動するときの動作を模式的に示すフローチャートの一例である。
【図９Ｂ】図９Ｂは、本変形例２の電力供給システムにおいて、発電システムを起動するときの動作を模式的に示すフローチャートの一例である。
【図９Ｃ】図９Ｃは、本変形例２の電力供給システムにおいて、発電システムの発電を停止するときの動作を模式的に示すフローチャートの一例である。
【図９Ｄ】図９Ｄは、本変形例２の電力供給システムにおいて、発電システムの発電を停止するときの動作を模式的に示すフローチャートの一例である。
【図１０Ａ】図１０Ａは、本変形例３の電力供給システムにおいて、発電システムを起動するときの動作を模式的に示すフローチャートの一例である。
【図１０Ｂ】図１０Ｂは、本変形例３の電力供給システムにおいて、発電システムを起動するときの動作を模式的に示すフローチャートの一例である。
【図１０Ｃ】図１０Ｃは、本変形例３の電力供給システムにおいて、発電システムの発電を停止するときの動作を模式的に示すフローチャートの一例である。
【図１０Ｄ】図１０Ｄは、本変形例３の電力供給システムにおいて、発電システムの発電を停止するときの動作を模式的に示すフローチャートの一例である。
【図１１Ａ】図１１Ａは、本実施の形態４に係る電力供給システムにおいて、発電システムを起動するときの動作を模式的に示すフローチャートの一例である。
【図１１Ｂ】図１１Ｂは、本実施の形態４に係る電力供給システムにおいて、発電システムの発電を停止するときの動作を模式的に示すフローチャートの一例である。
【図１２Ａ】図１２Ａは、本実施の形態５に係る電力供給システムにおいて、発電システムを起動するときの動作を模式的に示すフローチャートの一例である。
【図１２Ｂ】図１２Ｂは、本実施の形態５に係る電力供給システムにおいて、発電システムの発電を停止するときの動作を模式的に示すフローチャートの一例である。
【図１３Ａ】図１３Ａは、本実施の形態６に係る電力供給システムにおいて、発電システムを起動するときの動作を模式的に示すフローチャートの一例である。
【図１３Ｂ】図１３Ｂは、本実施の形態６に係る電力供給システムにおいて、発電システムの発電を停止するときの動作を模式的に示すフローチャートの一例である。
【図１４Ａ】図１４Ａは、本実施の形態７に係る電力供給システムにおいて発電システムを起動するときの動作を模式的に示すフローチャートの一例である。
【図１４Ｂ】図１４Ｂは、本実施の形態７に係る電力供給システムにおいて、発電システムの発電を停止するときの動作を模式的に示すフローチャートの一例である。
【図１５Ａ】図１５Ａは、本実施の形態８に係る電力供給システムにおいて発電システムを起動するときの動作を模式的に示すフローチャートの一例である。
【図１５Ｂ】図１５Ｂは、本実施の形態８に係る電力供給システムにおいて、発電システムの発電を停止するときの動作を模式的に示すフローチャートの一例である。
【図１６Ａ】図１６Ａは、本実施の形態８に係る電力供給システムの変形例１の電力供給システムにおいて、発電システムを起動するときの動作を模式的に示すフローチャートの一例である。
【図１６Ｂ】図１６Ｂは、本変形例１の電力供給システムにおいて、発電システムの発電を停止するときの動作を模式的に示すフローチャートの一例である。
【図１７Ａ】図１７Ａは、本実施の形態８に係る電力供給システムの変形例２において、発電システムを起動するときの動作を模式的に示すフローチャートの一例である。
【図１７Ｂ】図１７Ｂは、本実施の形態８に係る電力供給システムの変形例２において、発電システムを起動するときの動作を模式的に示すフローチャートの一例である。
【図１７Ｃ】図１７Ｃは、本変形例２の電力供給システムにおいて、発電システムの発電を停止するときの動作を模式的に示すフローチャートの一例である。
【図１７Ｄ】図１７Ｄは、本変形例２の電力供給システムにおいて、発電システムの発電を停止するときの動作を模式的に示すフローチャートの一例である。
【図１８Ａ】図１８Ａは、本実施の形態９に係る電力供給システムにおいて、発電システムを起動するときの動作を模式的に示すフローチャートの一例である。
【図１８Ｂ】図１８Ｂは、本実施の形態９に係る電力供給システムにおいて、発電システムの発電を停止するときの動作を模式的に示すフローチャートの一例である。
【図１９Ａ】図１９Ａは、本変形例に係る電力供給システムにおいて、発電システムを起動するときの動作を模式的に示すフローチャートの一例である。
【図１９Ｂ】図１９Ｂは、本変形例の電力供給システムにおいて、発電システムの発電を停止するときの動作を模式的に示すフローチャートの一例である。
【図２０】図２０は、本実施の形態１０に係る電力供給システム及び電力供給システムの制御装置の概略構成を模式的に示すブロック図の一例である。
【発明を実施するための形態】
【００２１】
以下、本発明の実施の形態を、具体的に図面を参照しながら例示する。なお、全ての図面において、同一または相当部分には同一符号を付し、重複する説明は省略する。また、全ての図面において、本発明を説明するための構成要素を抜粋して図示しており、その他の構成要素については図示を省略する場合がある。さらに、本発明は以下の実施の形態に限定されない。
【００２２】
（実施の形態１）
本実施の形態１に係る電力供給システムは、発電システムと、発電システム及び外部電力負荷へ電力供給を行う蓄電ユニットと、制御装置（電力供給システムの制御装置）と、を備え、制御装置が、発電システムを起動するときに、発電システムの起動電力と外部電力負荷の消費電力との合計が電力系統から受電可能な上限電力を超えると予測される場合に、電力系統から供給される電力が、上限電力を超えないように、蓄電ユニットの電力を発電システム及び外部電力負荷の少なくともいずれか一方に供給するように制御する第１の制御、及び、発電システムの発電を停止するときに発電システムの停止電力と外部電力負荷の消費電力との合計が電力系統から受電可能な上限電力を超えると予測される場合に、電力系統から供給される電力が、上限電力を超えないように、蓄電ユニットの電力を発電システム及び外部電力負荷の少なくともいずれか一方に供給するように制御する第２の制御、の少なくともいずれか一方を実行するように構成されている。
【００２３】
これにより、従来の電力供給システムに比して、発電システムの起動性及び停止性の少なくともいずれか一方を向上させながら、電力系統からの上限電力を超えることが抑制される。
【００２４】
なお、発電システムが起動するときとは、発電システムの起動を控えているとき、及び発電システムの起動動作を行っているときの少なくともいずれか一方を意味するが、以下では、発電システムの起動を控えているときについて主に説明する。
【００２５】
また、発電システムの発電を停止するときとは、発電システムの発電の停止を控えているとき、及び発電システムの発電停止後の処理動作を行っているときの少なくともいずれか一方を意味するが、以下では、発電システムの停止を控えているときについて主に説明する。
【００２６】
［電力供給システムの構成］
図１は、本実施の形態１に係る電力供給システム及び電力供給システムの制御装置の概略構成を模式的に示すブロック図の一例である。
【００２７】
図１に示すように、本実施の形態１に係る電力供給システム１００は、発電システム１０１と、蓄電ユニット１０７と、制御装置（電力供給システムの制御装置）１１０と、を備えている。制御装置１１０は、発電システム１０１の起動するときに、発電システム１０１の起動電力及び外部電力負荷１０５の消費電力との合計が電力系統１０４から受電可能な上限電力を超えると予測される場合に、電力系統１０４から供給される電力が、上限電力を超えないように、蓄電ユニット１０７の電力を発電システム１０１及び外部電力負荷１０５の少なくともいずれか一方に供給するように制御する。
【００２８】
ここで、電力系統１０４から受電可能な上限電力は、例えば、電力会社との契約上使用できる最大電力である契約電力であってもよく、また、ブレーカー契約により設定され、この電力を超えるとブレーカーが落ちる電力であってもよい。
【００２９】
発電システム１０１は、発電システム１０１を動作させるための機器である内部電力負荷１０２と発電システム１０１を制御する制御器１０３を有している。発電システム１０１としては、電力を発生させて、発生させた電力を外部電力負荷１０５へ供給するように構成されていれば、どのような形態あってもよく、例えば、ガスタービンや燃料電池システムが挙げられる。燃料電池システムに用いられる燃料電池としては、燃料電池としては、いずれの種類であっても良く、高分子電解質形燃料電池、固体酸化物形燃料電池、及びリン酸形燃料電池等が例示される。内部電力負荷１０２としては、例えば、発電システム１０１が燃料電池システムである場合、燃料電池内の温度を昇温するための電気ヒータが挙げられる。
【００３０】
また、制御器１０３は、発電システム１０１を構成する各機器を制御する機器であればどのような形態であってもよく、例えば、マイクロプロセッサ、ＣＰＵ等で構成することができる。なお、制御器１０３は、マイクロプロセッサ、ＣＰＵ等に例示される演算処理部だけでなく、メモリ等からなる記憶部及び計時部を有していてもよい。
【００３１】
蓄電ユニット１０７は、蓄電ユニット１０７からの出力電力を制御する電力制御器１０８を備えている。蓄電ユニット１０７としては、発電システム１０１及び外部電力負荷１０５に電力を供給するように構成されていれば、どのような形態であってもよく、例えば、鉛電池、リチウム電池、ニッケル−水素電池等の二次電池が挙げられる。これらの二次電池は、複数の単電池を直列に接続した組電池を使用してもよく、また、複数の単電池及び／又は組電池を並列に接続して使用してもよい。
【００３２】
また、蓄電ユニット１０７の蓄電量は、発電システム１０１の起動動作の途中で、電力系統１０４から受電可能な上限電力を超えることを抑制するため、発電システム１０１の起動動作における内部電力負荷１０２の消費電力量以上あることが好ましく、蓄電量は大きければ大きいほど好ましい。
【００３３】
電力制御器１０８は、蓄電ユニット１０７からの出力電力を制御する機器であればどのような形態であってもよく、例えば、ＤＣ／ＡＣ変換器等で構成することができる。
【００３４】
また、蓄電ユニット１０７には、蓄電ユニット１０７の出力電力（放電電力）を検知する電力検知器（図示せず）が内蔵され、制御装置１１０は、電力検知器（図示せず）で検知された蓄電ユニット１０７の出力電力を取得するように構成されている。
【００３５】
電力系統１０４は、連系点１０９において、発電システム１０１及び蓄電ユニット１０７と配線２０３を介して接続されている。また、電力検知器１０６は、連系点１０９よりも電力系統１０４側の電路（配線２０３）に設けられている。電力検知器１０６は、外部電力負荷１０５及び発電システム１０１の内部電力負荷１０２の少なくともいずれか一方に供給される電流値を検知する。制御装置１１０は、電力検知器１０６で検知された電流値を取得するように構成されている。なお、外部電力負荷１０５としては、例えば、家庭で使用する電気機器が挙げられる。
【００３６】
制御装置１１０は、ＣＰＵまたはマイクロプロセッサから構成される演算部、半導体メモリから構成される記憶部、通信部、及び時計部（いずれも図示せず）を備えている。そして、記憶部に格納された所定のソフトウェアによって、予測器１１０ａが実現されている。予測器１１０ａは、発電システムを起動するとき（本実施の形態では、起動を控えているとき）に、発電システム１０１の起動電力及び外部電力負荷１０５の消費電力との合計が電力系統１０４から受電可能な上限電力を超えるか否かを予測する。
【００３７】
制御装置１１０としては、電力供給システム１００を構成する各機器を制御するように構成されていれば、どのような形態であってもよく、図１に示すように、発電システム１０１及び蓄電ユニット１０７の外部に設ける形態であってもよく、発電システム１０１又は蓄電ユニット１０７のいずれかに内蔵される形態であってもよく、また、発電システム１０１及び蓄電ユニット１０７に分離内蔵される形態であってもよい。
【００３８】
［電力供給システムの動作］
図２Ａは、本実施の形態１に係る電力供給システムにおいて発電システムを起動するときの動作（第１の制御）を模式的に示すフローチャートの一例である。
【００３９】
まず、発電システム１０１が起動しておらず、外部電力負荷１０５への電力の供給は、電力系統１０４から行われているとする。そして、発電システム１０１の起動を控えているとき、制御装置１１０は、電力検知器１０６から外部電力負荷１０５で使用されている電力（消費電力）を取得する（ステップＳ１０１）。
【００４０】
ここで、発電システム１０１の起動を控えているときとは、発電システム１０１の起動要求が発生したとき及び起動予定を控えているときの少なくともいずれか一方を意味する。また、起動要求が発生した場合とは、例えば、予め設定された発電システム１０１の起動開始時刻になった場合や使用者がリモコンを操作して発電システム１０１の起動開始を指示したような場合等が挙げられる。さらに、起動予定を控えている場合とは、例えば、予め設定された発電システム１０１の起動開始時刻が近づいている場合等が挙げられる。
【００４１】
また、本実施の形態１では、運転開始時刻の所定時間前（例えば、１分前）になると、電力検知器１０６が外部電力負荷１０５の消費電力を検知して、制御装置１１０（予測器１１０ａ）が、発電システム１０１の起動電力及び外部電力負荷１０５の消費電力との合計が電力系統１０４から受電可能な上限電力を超えるか否かを予測する。上記所定時間は、起動を開始した時の外部電力負荷１０５の消費電力が予測可能な時間として設定される。なお、制御装置１１０（予測器１１０ａ）による、発電システム１０１の起動電力及び外部電力負荷１０５の消費電力との合計が電力系統１０４から受電可能な上限電力を超えるか否かの予測は、例えば、過去の使用履歴から予測を行ってもよく、上限電力を超えるか否かの予測を行うことができれば、どのような態様であってもよい。
【００４２】
次に、制御装置１１０は、ステップＳ１０１で取得した外部電力負荷１０５の消費電力と発電システム１０１の起動電力との合計が、電力系統１０４からの使用可能な上限電力Ｐ１を超えるか否かを判定する（ステップＳ１０２）。消費電力と起動電力の合計が、上限電力Ｐ１を超える場合（ステップＳ１０２でＹｅｓ）には、ステップＳ１０３に進み、上限電力Ｐ１以下である場合（ステップＳ１０２でＮｏ）には、ステップＳ１０４に進む。
【００４３】
ここで、起動電力とは、発電システム１０１の起動に必要な電力を意味する。具体的には、発電システム１０１の起動動作における内部電力負荷１０２の消費電力であり、その値は、適宜設定される。起動電力は、例えば、発電システム１０１の起動中における内部電力負荷１０２の最大消費電力であってもよく、起動初期に動作する内部電力負荷１０２の消費電力であってもよい。また、上限電力Ｐ１としては、例えば、電力会社との契約上使用できる最大電力である契約電力であってもよく、また、ブレーカー契約により設定されたブレーカーが落ちる電力であってもよい。
【００４４】
ステップＳ１０３では、制御装置１１０は、電力制御器１０８に蓄電ユニット１０７から電力を出力させるように制御する。これにより、蓄電ユニット１０７は、電力制御器１０８により外部電力負荷１０５及び起動開始後の発電システム１０１（具体的には、内部電力負荷１０２）に電力を供給する。このとき、電力制御器１０８は、外部電力負荷１０５の消費電力と発電システム１０１の起動電力とを加算した電力から外部電力負荷１０５及び発電システム１０１の少なくともいずれか一方に供給する電力を減算した電力（すなわち、消費電力＋起動電力−供給電力）が、上限電力Ｐ１以下となるように、蓄電ユニット１０７の出力電力を制御する。なお、この蓄電ユニット１０７の制御において、電力制御器１０８は、蓄電ユニット１０７が、少なくとも外部電力負荷１０５に電力を供給するよう制御してもよい。
【００４５】
次に、制御装置１１０は、ステップＳ１０４に進み、制御器１０３に発電システム１０１の起動許可信号（起動指令信号）を出力する。これにより、制御器１０３は、発電システム１０１の起動を開始させる。
【００４６】
このように、本実施の形態１に係る電力供給システム１００及び電力供給システム１００の制御装置１１０は、外部電力負荷１０５の消費電力が大きく、発電システム１０１を起動すると、電力系統１０４からの上限電力Ｐ１を超えると予測されるような場合であっても、発電システム１０１の起動を開始することが可能となる。これにより、本実施の形態１に係る電力供給システム１００及び電力供給システム１００の制御装置１１０では、従来の発電システムに比して起動性が向上する。
【００４７】
なお、本実施の形態１に係る電力供給システム１００は、上述したように、外部電力負荷１０５の消費電力が上限電力Ｐ１を超えた場合に、電力系統１０４からの電力供給が遮断される形態であってもよい。この形態では、例えば、ブレーカーが落ちて電力供給が遮断される。また、外部電力負荷１０５の消費電力が増加しても、電力系統１０４からの電力供給が上限電力Ｐ１を超えない範囲で継続される形態であってもよい。この形態では、例えば、外部電力負荷１０５の消費電力が上限電力Ｐ１を超えても、電力系統１０４からの電力供給が上限電力Ｐ１を超えない範囲で継続される。
【００４８】
次に、本実施の形態１に係る電力供給システム１００の発電を停止するときの動作（第２の制御）の一例について、説明する。
【００４９】
図２Ｂは、本実施の形態１に係る電力供給システムにおける発電システムの発電を停止するときの動作を模式的に示すフローチャートの一例である。
【００５０】
まず、発電システム１０１は発電運転を行っており、発電の停止は行っていないとする。そして、発電システムが、発電の停止を控えているとき、制御装置１１０は、電力検知器１０６から外部電力負荷１０５で使用されている電力（消費電力）を取得する（ステップＳ１０１Ｂ）。
【００５１】
ここで、発電システム１０１の発電の停止を控えているときとは、発電システムの停止要求が発生したとき及び発電の停止予定を控えているときの少なくともいずれか一方を意味する。ここで、発電システムの停止要求が発生したときとは、例えば、予め設定された発電システムの発電停止開始時刻になった場合や使用者がリモコンを操作して発電システム１０１の発電停止を指示したような場合等が挙げられる。また、発電の停止予定を控えている場合とは、例えば、予め設定された発電システムの発電停止開始時刻が近づいている場合等が挙げられる。
【００５２】
次に、制御装置１１０は、ステップＳ１０１Ｂで取得した外部電力負荷１０５の消費電力と発電システム１０１の停止電力との合計が、電力系統１０４からの使用可能な上限電力Ｐ１Ｂを超えるか否かを判定する（すなわち、予測する）（ステップＳ１０２Ｂ）。消費電力と起動電力の合計が、上限電力Ｐ１Ｂを超える場合（ステップＳ１０２ＢでＹｅｓ）には、ステップＳ１０３Ｂに進み、上限電力Ｐ１Ｂ以下である場合（ステップＳ１０２ＢでＮｏ）には、ステップＳ１０４Ｂに進む。
【００５３】
ここで、停止電力とは、発電システム１０１の発電停止後の処理動作に必要な電力を意味する。具体的には、発電システム１０１の発電停止後の処理動作において作動する内部電力負荷１０２の消費電力であり、その値は、適宜設定される。停止電力は、例えば、発電システム１０１の発電停止後の処理動作における内部電力負荷１０２の最大消費電力であってもよい。なお、発電システム１０１の発電停止後の処理動作は、公知の発電システム１０１の発電停止後の処理動作を任意に採用することができる。
【００５４】
ステップＳ１０３Ｂでは、制御装置１１０は、電力制御器１０８に蓄電ユニット１０７から電力を出力させるように制御する。これにより、蓄電ユニット１０７は、電力制御器１０８により外部電力負荷１０５及び発電システム１０１（具体的には、内部電力負荷１０２）に電力を供給する。
【００５５】
このとき、電力制御器１０８は、外部電力負荷１０５の消費電力と発電システム１０１の停止電力とを加算した電力から外部電力負荷１０５及び発電システム１０１に供給する電力を減算した電力（すなわち、消費電力＋停止電力−供給電力）が、上限電力Ｐ１Ｂ以下となるように、蓄電ユニット１０７の出力電力を制御する。なお、この蓄電ユニット１０７の制御において、電力制御器１０８は、蓄電ユニット１０７が、少なくとも外部電力負荷１０５に電力を供給するよう制御してもよい。
【００５６】
次に、制御装置１１０は、ステップＳ１０４Ｂに進み、制御器１０３に発電システム１０１の発電停止を許可する信号（発電停止指令信号）を出力する。これにより、制御器１０３は、発電システム１０１の発電停止を開始させる。具体的には、発電システム１０１から外部電力負荷１０５への電力の供給が停止されて、発電システム１０１が発電を停止する。その後、発電システム１０１を構成する各機器の作動停止（発電システム１０１の発電停止後の処理動作）が行われる。
【００５７】
このように、本実施の形態１に係る電力供給システム１００及び電力供給システム１００の制御装置１１０は、外部電力負荷１０５の消費電力が大きく、発電システム１０１の運転を停止すると、電力系統１０４からの上限電力Ｐ１Ｂを超えると予測されるような場合であっても、発電システム１０１の発電停止を開始することが可能となる。
【００５８】
なお、本実施の形態１に係る電力供給システム１００は、上述したように、外部電力負荷１０５の消費電力が上限電力Ｐ１Ｂを超えた場合に、電力系統１０４からの電力供給が遮断される形態であってもよい。この形態では、例えば、ブレーカーが落ちて電力供給が遮断される。また、外部電力負荷１０５の消費電力が増加しても、電力系統１０４からの電力供給が上限電力Ｐ１Ｂを超えない範囲で継続される形態であってもよい。この形態では、例えば、外部電力負荷１０５の消費電力が上限電力Ｐ１Ｂを超えても、電力系統１０４からの電力供給が上限電力Ｐ１Ｂを超えない範囲で継続される。
【００５９】
また、上記電力供給システム１００では、制御装置１１０が、発電システム１０１を起動するとき及び発電システム１０１の発電を停止するときのそれぞれにおける蓄電ユニット１０７への制御動作について説明したが、本実施の形態１の電力供給システム１００では、制御装置１１９がこれらの制御動作（第１の制御及び第２の制御）の少なくともいずれか一方を実行するよう構成されていればよい。すなわち、制御装置１１０が、第１の制御及び第２の制御のいずれか一方のみを実行するよう構成されていてもよいし、第１の制御及び第２の制御を共に実行するよう構成されていてもよい。
【００６０】
［変形例１］
本変形例１の電力供給システムは、発電システムが燃料電池システムである態様を例示する。
【００６１】
図３Ａは、本実施の形態１に係る電力供給システムにおける変形例の発電システムの概略構成を模式的に示すブロック図の一例である。
【００６２】
図３Ａに示すように、本変形例１の発電システム１０１は、燃料電池システムであり、内部電力負荷として、燃料電池システムの起動時に該燃料電池システムの構成機器を昇温するための電気ヒータを備える。具体的には、本変形例１の発電システム（燃料電池システム）１０１は、水素生成装置１１と、酸化剤ガス供給器１２と、燃料電池１３と、冷却媒体タンク１４と、電気ヒータ１５と、冷却媒体送出器１６と、制御器１０３と、を備える。
【００６３】
水素生成装置１１は、改質器１と、ＣＯ低減器２と、電気ヒータ３と、を備えていて、水素リッチな燃料ガスを生成し、生成した燃料ガスを燃料電池１３に供給するように構成されている。改質器１は、改質触媒を有しており、原料と水とを改質反応させて水素含有ガスを生成する。なお、原料は、当該原料と水蒸気とを用いて改質反応により水素含有ガスを生成できるものであればよい。原料として、例えば、エタン、プロパン等の炭化水素やメタノール等のアルコール系原料といった、少なくとも炭素及び水素を構成元素とする有機化合物を含むものを使用することができる。
【００６４】
ＣＯ低減器２は、改質器１で生成された水素含有ガス中の一酸化炭素を低減するように構成されている。ＣＯ低減器２としては、例えば、シフト反応により一酸化炭素を低減する変成器や酸化反応又はメタン化反応により低減するＣＯ除去器が挙げられる。また、電気ヒータ３は、燃料電池システムの起動時に、例えば、ＣＯ低減器２を昇温するように構成されている。なお、電気ヒータ３は、ＣＯ低減器２を昇温するだけでなく、改質器１を昇温するように構成されていてもよく、改質器１のみを昇温するように構成されていてもよい。
【００６５】
そして、ＣＯ低減器２で一酸化炭素が低減された水素含有ガスは、燃料ガスとして、燃料ガス供給経路３１を介して、燃料電池１３のアノードに供給される。なお、本変形例では、改質器１で生成された水素含有ガス中の一酸化炭素をＣＯ低減器２で低減して、燃料電池１３に供給する形態を採用したが、これに限定されず、ＣＯ低減器２を有しない形態を採用してもよい。この場合、電気ヒータ３は、改質器１を昇温するように構成されるか、または、設けなくてもよい。
【００６６】
また、燃料電池システム１０１は、酸化剤ガスが流れる酸化剤ガス供給経路３２と酸化剤ガスを供給するための酸化剤ガス供給器１２とを備えている。酸化剤ガス供給器１２としては、例えば、ブロワやシロッコファン等のファン類を用いることができる。酸化剤ガス供給器１２より供給された酸化剤ガス（例えば、空気）は燃料電池１３のカソードに供給される。
【００６７】
燃料電池１３では、アノードに供給された燃料ガスと、カソードに供給された酸化剤ガスと、が電気化学的に反応して、電気と熱が発生する。燃料電池としては、いずれの種類であっても良く、高分子電解質形燃料電池、固体酸化物形燃料電池、及び燐酸形燃料電池等が例示される。なお、燃料電池が、固体酸化物形燃料電池の場合は、燃料電池システム１０１は、ＣＯ低減器２が設けられず、改質器１と燃料電池１３とが１つの容器内に内蔵されるよう構成される。
【００６８】
また、燃料電池システム１０１は、冷却媒体経路３３、冷却媒体タンク１４、電気ヒータ１５、及び冷却媒体送出器１６を備える。冷却媒体経路３３は、燃料電池１３が発生した熱を回収する冷却媒体が流れる経路である。冷却媒体タンク１４は、上記冷却媒体経路３３に設けられ、冷却媒体を貯えるタンクである。電気ヒータ１５は、冷却媒体経路３３内の冷却媒体を加熱し、冷却媒体経路３３上であれば、いずれの箇所に設けても構わない。例えば、図３Ａに示すように、電気ヒータ１５は、燃料電池１３外及び冷却媒体タンク１４外の冷却媒体経路３３上に設けてもよいし、冷却媒体タンク１４内に設けてもよい。電気ヒータ１５は、燃料電池システムの起動時に動作し、冷却媒体を加熱するとともに、加熱された冷却媒体が冷却媒体経路３３を循環することにより、燃料電池１３が昇温される。
【００６９】
また、冷却媒体送出器１６は、冷却媒体経路３３内の冷却媒体を循環させるための機器であり、例えば、ポンプを使用することができる。なお、冷却媒体としては、水や不凍液（例えば、エチレングリーコール含有液）等を用いることができる。
【００７０】
このように構成された本変形例１の電力供給システム１００は、発電システム１０１を起動するときに、実施の形態１に係る電力供給システム１００と同様に、蓄電ユニット１０７への制御動作（第１の制御）が実行される。従って、本変形例１の電力供給システム１００は、実施の形態１の電力供給システム１００と同様の作用効果を奏する。
【００７１】
特に、本変形例１では、起動動作において、電気ヒータ１５が、燃料電池システム１０１を構成する機器を昇温するよう構成されているので、起動電力が大きくなる。このため、本変形例１の燃料電池システム１０１は、従来の発電システムに比べ、電力供給システム１００の制御装置１１０の制御により得られる起動性向上の効果が、特に顕著となる。
【００７２】
なお、本例の燃料電池システム１０１では、起動時に該燃料電池システムの構成機器を昇温するための電気ヒータとして、電気ヒータ３及び電気ヒータ１５を備えているが、これに限定されるものではない。例えば、燃料電池システム１０１は、電気ヒータ３及び電気ヒータ１５のいずれか一方を備える形態であってもよいし、これ以外の電気ヒータを備える形態であってもよい。
【００７３】
また、本変形例１の電力供給システム１００における燃料電池システム１０１の発電停止後の処理動作は、公知の種々の処理動作を採用することができる。燃料電池システム１０１の発電停止後の処理動作としては、例えば、冷却媒体送出器１６による冷却媒体経路３３内での冷却媒体の循環動作、原料ガス供給器（図示せず）による水素生成装置１１内のガス流路及び燃料電池１３内のガス流路の少なくともいずれか一方に対する原料ガスパージ動作、及び電気ヒータ１５の作動等の動作を挙げることができる。なお、上記冷却媒体の循環動作において電気ヒータ１５を作動させても構わない。
【００７４】
このように構成された本変形例１の電力供給システム１００は、発電システム１０１を停止するときに、実施の形態１に係る電力供給システム１００と同様に、蓄電ユニット１０７への制御動作（第２の制御）が実行される。従って、本変形例１の電力供給システム１００は、実施の形態１の電力供給システム１００と同様の作用効果を奏する。
【００７５】
特に、本変形例１では、燃料電池システム１０１の発電停止後の処理動作において、電気ヒータ１５が、燃料電池システム１０１を構成する機器を昇温するよう構成されているとき、停止電力が大きくなる。このため、本変形例１の燃料電池システム１０１は、従来の発電システムに比べ、電力供給システム１００の制御装置１１０の制御により得られる停止性向上の効果が、特に顕著となる。
【００７６】
なお、本変形例１の電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
【００７７】
［変形例２］
本変形例２の電力供給システムは、発電システムが燃料電池システムである他の態様を例示する。
【００７８】
図３Ｂは、本実施の形態１に係る電力供給システムにおける変形例２の発電システムの概略構成を模式的に示すブロック図の一例である。
【００７９】
図３Ｂに示すように、本変形例２の発電システム１０１は、変形例１の燃料電池システムと基本的構成は同じであるが、回収水タンク１７と、送出器１８と、をさらに備える点が異なる。なお、電気ヒータ１５は、回収水タンク１７に設けても構わない。
【００８０】
回収水タンク１７は、燃料電池システム１０１において排出される排ガスから回収した水を貯えるタンクである。上記排ガスは、いずれの排ガスであってもよいが、例えば、燃料電池１３から排出された燃料ガス及び酸化剤ガスの少なくとも一方のガス、改質器１を加熱する燃焼器から排出された燃焼排ガス等が例示される。
【００８１】
また、燃料電池システム１０１には、冷却媒体タンク１４と回収水タンク１７を接続する循環経路３４が設けられている。従って、本例では、冷却媒体として水が用いられ、循環経路３４は、冷却媒体タンク１４内の冷却水と回収水タンク１７内の回収水とが循環するように構成されている。また、循環経路３４の途中には、循環経路３４内の水を送出するための送出器１８が設けられている。送出器１８としては、例えば、ポンプを使用することができる。
【００８２】
なお、燃料電池１３が、固体酸化物燃料電池であるとき、冷却媒体経路３３は、燃料電池１３を冷却する冷却媒体が流れる流路でなく、燃料電池１３から排出された燃料ガスを燃焼した燃焼排ガスを冷却する冷却媒体が流れる流路として構成される。
【００８３】
また、本変形例２の電力供給システム１００における燃料電池システム１０１の発電停止後の処理動作は、公知の種々の処理動作を採用することができる。燃料電池システム１０１の発電停止後の処理動作としては、例えば、冷却媒体送出器１６による冷却媒体経路３３内での冷却媒体の循環動作、送出器１８による冷却媒体タンク１４と回収水タンク１７との間での水の循環動作、原料ガス供給器（図示せず）による水素生成装置１１内のガス流路及び燃料電池１３内のガス流路の少なくともいずれか一方に対する原料ガスパージ動作、及び電気ヒータ１５の作動等の動作を挙げることができる。なお、上記冷却媒体の循環動作及び冷却媒体タンク１４と回収水タンク１４との間の水の循環動作の少なくともいずれか一方において電気ヒータ１５を作動させても構わない。
【００８４】
このように構成された本変形例２の電力供給システム１００は、発電システム１０１を起動するとき及び停止するときのそれぞれにおいて、実施の形態１の電力供給システムと同様に、蓄電ユニット１０７への制御動作（第１の制御及び第２の制御）が実行される。従って、本変形例２の電力供給システム１００は、実施の形態１の電力供給システム１００と同様の動作を行うが、変形例１の電力供給システム１００と同様の作用効果を奏する。
【００８５】
なお、本変形例２の電力供給システム１００は、制御装置１１０が、燃料電池システム１０１を起動するときにおける蓄電ユニット１０７への制御動作及び燃料電池システム１０１の発電を停止するときにおける蓄電ユニット１０７への制御動作の少なくともいずれか一方を実行するよう構成されていればよい。すなわち、制御装置１１０が、燃料電池システム１０１を起動するときにおける蓄電ユニット１０７への制御動作及び燃料電池システム１０１の発電を停止するときにおける蓄電ユニット１０７への制御動作のいずれか一方のみを実行するよう構成されていてもよいし、燃料電池システム１０１を起動するときにおける蓄電ユニット１０７への制御動作及び燃料電池システム１０１の発電を停止するときにおける蓄電ユニット１０７への制御動作を共に実行するよう構成されていてもよい。
【００８６】
（実施の形態２）
本実施の形態２に係る電力供給システムは、制御装置が、蓄電ユニットの蓄電量に基づいて発電システムの起動の許否を決定するように構成されている。
【００８７】
また、本実施の形態２に係る電力供給システムでは、制御装置が、蓄電ユニットの蓄電量に基づいて発電システムの発電の停止の許否を決定するように構成されていてもよい。
【００８８】
図４は、本実施の形態２に係る電力供給システムの概略構成を模式的に示すブロック図の一例である。
【００８９】
図４に示すように、本実施の形態２に係る電力供給システム１００は、蓄電ユニット１０７の蓄電量を検知する蓄電量検知器１１１を備えている。その他の構成については、実施の形態１に係る電力供給システム１００と同じであるので、詳細な説明を省略する。
【００９０】
次に、本実施の形態２に係る電力供給システム１００の発電システム１０１の起動動作について、図５Ａを参照しながら説明する。
【００９１】
図５Ａは、本実施の形態２に係る電力供給システムにおいて、発電システムを起動するときの動作を模式的に示すフローチャートの一例である。
【００９２】
まず、図５Ａに示すように、実施の形態１に係る電力供給システム１００と同様に、発電システム１０１が起動を控えているとき、制御装置１１０は、電力検知器１０６から外部電力負荷１０５で使用されている電力（消費電力）を取得する（ステップＳ２０１）。
【００９３】
次に、制御装置１１０は、ステップＳ２０１で取得した外部電力負荷１０５の消費電力と発電システム１０１の起動電力との合計が、電力系統１０４からの使用可能な上限電力Ｐ１を超えるか否かを判定する（ステップＳ２０２）。消費電力と起動電力の合計が、上限電力Ｐ１を超える場合（ステップＳ２０２でＹｅｓ）には、ステップＳ２０３に進み、上限電力Ｐ１以下である場合（ステップＳ２０２でＮｏ）には、ステップＳ２０５に進む。
【００９４】
ステップＳ２０３では、制御装置１１０は、蓄電ユニット１０７の蓄電量が、所定の電力量Ｑ１以上か否かを判定する。蓄電ユニット１０７の蓄電量が、所定の電力量Ｑ１以上の場合（ステップＳ２０３でＹｅｓ）には、ステップＳ２０４に進み、所定の電力量Ｑ１より小さい場合（ステップＳ２０３でＮｏ）には、ステップＳ２０６に進む。なお、所定の電力量Ｑ１は、任意に設定することができ、例えば、発電システム１０１の起動に必要な電力量であってもよい。起動に必要な電力量は、例えば、起動動作が開始してから完了するまでの間に内部電力負荷により消費される累積消費電力量でもよい。
【００９５】
ステップＳ２０４では、制御装置１１０は、電力制御器１０８に蓄電ユニット１０７から電力を出力させるように制御する。これにより、蓄電ユニット１０７は、電力制御器１０８により外部電力負荷１０５及び起動開始後の発電システム１０１に電力を供給する。
【００９６】
このとき、電力制御器１０８は、外部電力負荷１０５の消費電力と発電システム１０１の起動電力とを加算した電力から外部電力負荷１０５及び発電システム１０１に供給する電力を減算した電力（すなわち、消費電力＋起動電力−供給電力）が、上限電力Ｐ１以下となるように、蓄電ユニット１０７を制御する。なお、この蓄電ユニット１０７の制御において、電力制御器１０８は、蓄電ユニット１０７が、少なくとも外部電力負荷１０５に電力を供給するよう制御してもよい。
【００９７】
次に、制御装置１１０は、ステップＳ２０５に進み、制御器１０３に発電システム１０１の起動許可信号を出力する。これにより、制御器１０３は、発電システム１０１の起動を開始させる。
【００９８】
一方、ステップＳ２０６では、制御装置１１０は、発電システム１０１の起動を拒否して、制御器１０３への起動拒否信号を出力する、または起動許可信号を出力しないことで発電システム１０１を起動させないよう制御する。この場合、制御装置１１０は、使用者に、発電システム１０１の起動を行えないことを伝達するように構成されていることが好ましい。伝達方法としては、例えば、リモコンにエラー表示する方法やエラーを表す警告音を発する方法等が挙げられる。
【００９９】
なお、蓄電ユニット１０７の蓄電量は、蓄電量検知器１１１が、蓄電ユニット１０７の電力検知器（図示せず）より蓄電ユニット１０７の出力電力（放電電力）及び蓄電ユニットへの入力電力（充電電力）を取得し、この取得した値に基づき決定する。
【０１００】
なお、本実施の形態２に係る電力供給システム１００（電力供給システム１００の制御装置１１０）は、ステップＳ２０６で発電システム１０１の起動が拒否されると、ステップＳ２０１に戻り、ステップＳ２０５で発電システムが起動するまで、上記フローを繰り返し実行する形態（すなわち、発電システム１０１の起動を待機させる形態）を採用してもよい。
【０１０１】
このように構成された本実施の形態２に係る電力供給システム１００（電力供給システム１００の制御装置１１０）においても、実施の形態１に係る電力供給システム１００（電力供給システム１００の制御装置１１０）と同様の作用効果を奏する。また、本実施の形態２に係る電力供給システム１００では、蓄電ユニット１０７の蓄電量が相対的に少ないときには、発電システム１０１が起動されないので、起動動作が中断されることが抑制される。つまり、本実施の形態２に係る電力供給システム１００（電力供給システム１００の制御装置１１０）では、実施の形態１に係る電力供給システム１００（電力供給システム１００の制御装置１１０）に比べて、起動性がより向上する。
【０１０２】
次に、本実施の形態２に係る電力供給システム１００の発電システムの発電を停止するときの動作について、図５Ｂを参照しながら説明する。
【０１０３】
図５Ｂは、本実施の形態２に係る電力供給システムにおける発電システムの発電を停止するときの動作を模式的に示すフローチャートの一例である。
【０１０４】
図５Ｂに示すように、本実施の形態２に係る電力供給システムにおいても、実施の形態１と同様に、発電システム１０１の発電を停止するときの動作が行われ、また、発電を停止するときの動作の各ステップは、上述した発電システム１０１の起動するときの動作と同様の動作が行われる場合がある。このため、以下においては、実施の形態１で説明した動作及び上述した発電システム１０１の起動するときの動作と異なる動作が行われるステップについて説明する。具体的には、ステップＳ２０３Ｂ及びステップＳ２０６Ｂである。
【０１０５】
ステップＳ２０３Ｂでは、制御装置１１０は、蓄電ユニット１０７の蓄電量が、所定の電力量Ｑ１Ｂ以上か否かを判定する。なお、所定の電力量Ｑ１Ｂは、任意に設定することができ、例えば、発電システム１０１の発電を停止するときの動作に必要な電力量であってもよい。
【０１０６】
ステップＳ２０６Ｂでは、制御装置１１０は、発電システム１０１の発電停止を拒否して、制御器１０３への発電停止を拒否する信号を出力する、または発電停止を許可する信号を出力しないことで発電システム１０１を発電停止させないよう制御する。この場合、制御装置１１０は、使用者に、発電システム１０１の発電停止を行えないことを伝達するように構成されていることが好ましい。
【０１０７】
なお、ステップＳ２０６Ｂで発電システム１０１の発電停止が拒否されると、ステップＳ２０１Ｂに戻り、ステップＳ２０５Ｂで発電システム１０１の発電を停止させるまで、上記フローを繰り返し実行する形態（すなわち、発電システム１０１の発電の停止を待機させる形態）を採用してもよい。
【０１０８】
このように、本実施の形態２に係る電力供給システム１００では、蓄電ユニット１０７の蓄電量が相対的に少ないときには、発電システム１０１の発電が停止されないので、発電停止後の処理動作が中断されることが抑制される。つまり、本実施の形態２に係る電力供給システム１００では、実施の形態１に係る電力供給システム１００に比べて、停止性がより向上する。
【０１０９】
なお、本実施の形態２に係る電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
【０１１０】
［変形例］
図６Ａは、本実施の形態２に係る電力供給システムの変形例の電力供給システムにおいて、発電システムを起動するときの動作を模式的に示すフローチャートの一例である。
【０１１１】
図６Ａに示すように、本変形例の電力供給システム１００における発電システム１０１の起動動作は、蓄電ユニット１０７の蓄電量が所定の電力量Ｑ１より小さいであるときの動作が、実施の形態２に係る電力供給システム１００の発電システム１０１と異なる。
【０１１２】
具体的には、制御装置１１０は、蓄電ユニット１０７の蓄電量が、所定の電力量Ｑ１より小さい場合（ステップＳ２０３でＮｏ）には、発電システム１０１の起動を拒否し（ステップＳ２０６）、電力制御器１０８に電力系統１０４からの電力により充電を行うように制御する（ステップＳ２０７）。これにより、電力制御器１０８は、電力系統１０４から上限電力Ｐ１を超えない範囲内で電力を、蓄電ユニット１０７を構成する蓄電池の単電池や組電池に供給して、蓄電ユニット１０７を充電させる。なお、蓄電ユニット１０７への充電は、例えば、キャパシタを蓄電ユニット１０７内に配置しておき、キャパシタで電力系統１０４からの電力を貯えて、その貯えた電力を蓄電池の単電池や組電池に供給して充電を行わせてもよい。
【０１１３】
このように構成された本変形例の電力供給システム１００（電力供給システム１００の制御装置１１０）であっても、実施の形態２に係る電力供給システム１００（電力供給システム１００の制御装置１１０）と同様の作用効果を奏する。また、本変形例の電力供給システム１００（電力供給システム１００の制御装置１１０）では、蓄電ユニット１０７の蓄電量が少なく起動が拒否された場合であっても、次に起動するときに、同様の理由で起動が拒否されることが抑制されるので、発電システム１０１の起動性がより向上する。
【０１１４】
なお、本変形例の電力供給システム１００（電力供給システム１００の制御装置１１０）では、ステップＳ２０６で発電システム１０１の起動が拒否されると、ステップＳ２０１に戻り、ステップＳ２０５で発電システムが起動するまで、上記フローを繰り返し実行する形態（すなわち、発電システム１０１の起動を待機させる形態）を採用してもよい。また、本変形例の電力供給システム１００（電力供給システム１００の制御装置１１０）では、ステップＳ２０６で発電システム１０１の起動が拒否されると、ステップＳ２０５で発電システムが起動するまで、ステップＳ２０３に戻り、上記フローを繰り返し実行する形態（すなわち、発電システム１０１の起動を待機させる形態）を採用してもよい。
【０１１５】
次に、本変形例の電力供給システム１００の発電を停止するときの動作について、図６Ｂを参照しながら説明する。
【０１１６】
図６Ｂは、本変形例の電力供給システムにおいて、発電システムの発電を停止するときの動作を模式的に示すフローチャートの一例である。
【０１１７】
図６Ｂに示すように、本変形例の電力供給システム１００における発電システム１０１の発電を停止するときの動作は、蓄電ユニット１０７の蓄電量が所定の電力量Ｑ１Ｂより小さいであるときの動作が、実施の形態２に係る電力供給システム１００の発電システム１０１と異なる。
【０１１８】
具体的には、制御装置１１０は、蓄電ユニット１０７の蓄電量が、所定の電力量Ｑ１より小さい場合（ステップＳ２０３ＢでＮｏ）には、発電システム１０１の発電停止を拒否し（ステップＳ２０６Ｂ）、電力制御器１０８に電力系統１０４からの電力により充電を行うように制御する（ステップＳ２０７Ｂ）。これにより、電力制御器１０８は、電力系統１０４から上限電力Ｐ１を超えない範囲内で電力を、蓄電ユニット１０７を構成する蓄電池の単電池や組電池に供給して、蓄電ユニット１０７を充電させる。なお、蓄電ユニット１０７への充電は、例えば、キャパシタを蓄電ユニット１０７内に配置しておき、キャパシタで電力系統１０４からの電力を貯えて、その貯えた電力を蓄電池の単電池や組電池に供給して充電を行わせてもよい。
【０１１９】
そして、再び、ステップＳ２０３Ｂに戻り、蓄電ユニット１０７の蓄電量が所定の電力量Ｑ１Ｂ以上になるまで、上記ステップを繰り返す。
【０１２０】
このように、本変形例の電力供給システム１００（電力供給システム１００の制御装置１１０）では、蓄電ユニット１０７の蓄電量が少なく、発電の停止が拒否された場合であっても、蓄電ユニット１０７に充電させることにより、実施の形態２に係る電力供給システム１００（電力供給システム１００の制御装置１１０）に比して、停止性がより向上する。
【０１２１】
なお、本変形例の電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
【０１２２】
（実施の形態３）
本実施の形態３に係る電力供給システムは、制御装置が、蓄電ユニットの蓄電量に基づいて発電システムの起動モードを発電システムの起動電力が相対的に大きい第１の起動モードと、起動電力が相対的に小さい第２の起動モードとの間で切替えるように構成されている。
【０１２３】
また、本実施の形態３に係る電力供給システムでは、制御装置が、蓄電ユニットの蓄電量に基づいて発電システムの停止モードを発電システムの停止電力が相対的に大きい第１の停止モードと、停止電力が相対的に小さい第２の停止モードとの間で切替えるように構成されていてもよい。
【０１２４】
本実施の形態３に係る電力供給システム１００は、実施の形態２に係る電力供給システム１００と基本的構成は同じであるが、発電システム１０１の起動動作が異なる。以下、図７Ａを参照しながら説明する。
【０１２５】
図７Ａは、本実施の形態３に係る電力供給システムにおいて、発電システムを起動するときの動作を模式的に示すフローチャートの一例である。
【０１２６】
まず、図７Ａに示すように、実施の形態１に係る電力供給システム１００と同様に、発電システム１０１が起動を控えているとき、制御装置１１０は、電力検知器１０６から外部電力負荷１０５で使用されている電力（消費電力）を取得する（ステップＳ３０１）。
【０１２７】
次に、制御装置１１０は、ステップＳ３０１で取得した外部電力負荷１０５の消費電力と発電システム１０１の起動電力との合計が、電力系統１０４からの使用可能な上限電力Ｐ１を超えるか否かを判定する（ステップＳ３０２）。消費電力と起動電力の合計が、上限電力Ｐ１を超える場合（ステップＳ３０２でＹｅｓ）には、ステップＳ３０３に進み、上限電力Ｐ１以下である場合（ステップＳ３０２でＮｏ）には、ステップＳ３０４に進む。なお、ステップＳ３０２における起動電力は、発電システム１０１を第１の起動モードで起動したときの起動電力が用いられる。
【０１２８】
ステップＳ３０３では、制御装置１１０は、蓄電ユニット１０７の蓄電量が、所定の電力量Ｑ２以上であるか否かを判定する。蓄電ユニット１０７の蓄電量が、所定の電力量Ｑ２以上である場合（ステップＳ３０３でＹｅｓ）には、ステップＳ３０４に進み、所定の電力量Ｑ２より小さい場合（ステップＳ３０３でＮｏ）には、ステップＳ３０６に進む。なお、所定の電力量Ｑ２は、任意に設定することができ、例えば、発電システム１０１を第１の起動モードで起動するのに必要な電力量であってもよい。第１の起動モードに必要な電力量は、例えば、第１の起動モードで起動動作が開始してから完了するまでの間に内部電力負荷により消費される累積消費電力量であってもよい。
【０１２９】
ステップＳ３０４では、制御装置１１０は、第１の起動モードを選択し、ステップＳ３０５に進む。一方、ステップＳ３０６では、制御装置１１０は、第２の起動モードを選択し、ステップＳ３０５に進む。ここで、第１の起動モードとは、発電システム１０１の起動電力が相対的に大きい発電システム１０１の起動モード（起動方法）をいい、第２の起動モードとは、発電システム１０１の起動電力が相対的に小さい発電システム１０１の起動モード（起動方法）をいう。例えば、第１の起動モードは、第２の起動モードに比して、内部電力負荷１０２に供給する電力を大きくして、より速やかに発電システム１０１の起動動作を完了するための起動モードである。具体的には、内部電力負荷が、ポンプやファン等の電動補機である場合、第１の起動モードの方が第２の起動モードに比べ電動補機の操作量を大きくして起動動作が実行される。
【０１３０】
そして、ステップＳ３０５では、制御装置１１０は、制御器１０３に発電システム１０１の起動許可信号を出力する。これにより、制御器１０３は、発電システム１０１の起動を開始させる。
【０１３１】
このように構成された本実施の形態３に係る電力供給システム１００（電力供給システム１００の制御装置１１０）であっても、実施の形態２に係る電力供給システム１００（電力供給システム１００の制御装置１１０）と同様の作用効果を奏する。また、本実施の形態３に係る電力供給システム１００（電力供給システム１００の制御装置１１０）では、蓄電ユニット１０７の蓄電量が多くなくても、相対的に起動電力の小さい第２の起動モードで起動させるよう構成されているため、実施の形態２に係る電力供給システム１００（電力供給システム１００の制御装置１１０）に比して、起動性がより向上する。
【０１３２】
次に、本実施の形態３に係る電力供給システム１００の発電を停止するときの動作について、図７Ｂを参照しながら説明する。
【０１３３】
図７Ｂは、本実施の形態３に係る電力供給システムにおいて、発電システムの発電を停止するときの動作を模式的に示すフローチャートの一例である。
【０１３４】
図７Ｂに示すように、本実施の形態３に係る電力供給システムにおいても、実施の形態２と同様に、発電システム１０１の発電を停止するときの動作が行われ、また、発電を停止するときの動作の各ステップは、上述した発電システム１０１の起動するときの動作と同様の動作が行われる場合がある。このため、以下においては、実施の形態２で説明した動作及び上述した発電システム１０１の起動するときの動作と異なる動作が行われるステップについて説明する。具体的には、ステップＳ３０３Ｂ乃至ステップＳ３０６Ｂである。
【０１３５】
ステップＳ３０３Ｂでは、制御装置１１０は、蓄電ユニット１０７の蓄電量が、所定の電力量Ｑ２Ｂ以上であるか否かを判定する。蓄電ユニット１０７の蓄電量が、所定の電力量Ｑ２Ｂ以上である場合（ステップＳ３０３ＢでＹｅｓ）には、ステップＳ３０４Ｂに進み、所定の電力量Ｑ２Ｂより小さい場合（ステップＳ３０３ＢでＮｏ）には、ステップＳ３０６Ｂに進む。なお、所定の電力量Ｑ２Ｂは、任意に設定することができ、例えば、発電システム１０１を第１の停止モードで停止するのに必要な電力量であってもよい。第１の停止モードに必要な電力量は、例えば、第１の停止モードで発電システム１０１の発電停止後の処理動作を開始してから処理動作を完了するまでの間に内部電力負荷により消費される累積消費電力量であってもよい。
【０１３６】
ステップＳ３０４Ｂでは、制御装置１１０は、第１の停止モードを選択し、ステップＳ３０５Ｂに進む。一方、ステップＳ３０６Ｂでは、制御装置１１０は、第２の停止モードを選択し、ステップＳ３０５Ｂに進む。ここで、第１の停止モードとは、発電システム１０１の停止電力が相対的に大きい発電システム１０１の停止モード（停止方法）をいい、第２の停止モードとは、発電システム１０１の停止電力が相対的に小さい発電システム１０１の停止モードをいう。
【０１３７】
例えば、第１の停止モードは、第２の停止モードに比して、内部電力負荷１０２に供給する電力を大きくして、より速やかに発電システム１０１の発電停止後の処理動作を完了するための停止モードである。具体的には、例えば、内部電力負荷が、ポンプやファン等の電動補機である場合、第１の停止モードの方が第２の停止モードに比べ電動補機の操作量を大きくして、発電停止後の処理動作が実行される。
【０１３８】
また、発電システム１０１が燃料電池システムである場合に、第２の停止モードは、燃料電池システムの発電停止後の処理動作として、以下の動作が含まれている場合、当該動作を一時中断及び／又は当該動作を行う機器への電力の供給量を抑制するモードが例示される。その動作としては、冷却媒体送出器１６による冷却媒体経路３３内での冷却媒体の循環動作、送出器１８による冷却媒体タンク１４と回収水タンク１７との間での水の循環動作、原料ガス供給器による水素生成装置１１内のガス流路及び燃料電池１３内のガス流路の少なくともいずれか一方に対する原料ガスパージ動作、及び電気ヒータ１５の作動等の動作が例示される（実施の形態１の変形例１及び変形例２参照）。
【０１３９】
そして、ステップＳ３０５Ｂでは、制御装置１１０は、制御器１０３に発電システム１０１の発電停止を許可する信号を出力する。これにより、制御器１０３は、発電システム１０１の発電を停止させ、その後、所定の発電システム１０１の発電停止後の処理動作が実行される。
【０１４０】
このように、本実施の形態３に係る電力供給システム１００（電力供給システム１００の制御装置１１０）では、蓄電ユニット１０７の蓄電量が多くなくても、相対的に停止電力の小さい第２の停止モードで発電システム１０１の発電を停止させ、発電停止後の処理動作をさせるよう構成されているため、実施の形態２に係る電力供給システム１００（電力供給システム１００の制御装置１１０）に比して、停止性がより向上する。
【０１４１】
なお、本実施の形態３に係る電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
【０１４２】
［変形例１］
本実施の形態３に係る電力供給システムの変形例１の電力供給システムは、制御装置が、第２の起動モード中において、電力系統より蓄電ユニットに充電するように制御する。
【０１４３】
また、本変形例１の電力供給システムは、制御装置が、第２の停止モード中において、電力系統より蓄電ユニットに充電するように制御してもよい。
【０１４４】
図８Ａは、本変形例１の電力供給システムにおいて、発電システムを起動するときの動作を模式的に示すフローチャートの一例である。
【０１４５】
図８Ａに示すように、本変形例１の電力供給システム１００における発電システム１０１の起動動作は、第２の起動モードを選択した場合の動作が、実施の形態３に係る電力供給システム１００における発電システム１０１の起動動作と異なる。
【０１４６】
具体的には、制御装置１１０は、蓄電ユニット１０７の蓄電量が、所定の電力量Ｑ２より小さい場合（ステップＳ３０３でＮｏ）に、第２の起動モードを選択する（ステップＳ３０６）。次に、制御装置１１０は、蓄電ユニット１０７の電力制御器１０８が充電を行うように制御する（ステップＳ３０７）。これにより、電力制御器１０８は、電力系統１０４から上限電力Ｐ１を超えない範囲内で電力を、蓄電ユニット１０７を構成する蓄電池の単電池や組電池に供給して、蓄電ユニット１０７を充電させる。
【０１４７】
そして、制御装置１１０は、制御器１０３に発電システム１０１の起動許可信号を出力し、制御器１０３は、発電システム１０１の起動を開始させる（ステップＳ３０５）。
【０１４８】
次に、本変形例１の電力供給システム１００の発電を停止するときの動作について、図８Ｂを参照しながら説明する。
【０１４９】
図８Ｂは、本変形例１の電力供給システムにおいて、発電システムの発電を停止するときの動作を模式的に示すフローチャートの一例である。
【０１５０】
図８Ｂに示すように、本変形例１の電力供給システム１００における発電システム１０１の発電を停止するときの動作は、第２の停止モードを選択した場合の動作が、実施の形態３に係る電力供給システム１００における発電システム１０１の発電を停止するときの動作と異なる。
【０１５１】
具体的には、制御装置１１０は、第２の停止モードを選択する（ステップＳ３０６Ｂ）と、蓄電ユニット１０７の電力制御器１０８が充電を行うように制御する（ステップＳ３０７Ｂ）。これにより、電力制御器１０８は、電力系統１０４から上限電力Ｐ１Ｂを超えない範囲内で電力を、蓄電ユニット１０７を構成する蓄電池の単電池や組電池に供給して、蓄電ユニット１０７を充電させる。
【０１５２】
このように構成された本変形例１の電力供給システム１００であっても、実施の形態３に係る電力供給システム１００と同様の作用効果を奏する。
【０１５３】
なお、本変形例１の電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
【０１５４】
［変形例２］
本実施の形態３に係る電力供給システムの変形例２の電力供給システムは、制御装置が、充電により蓄電ユニットの蓄電量が増加すると、第１の起動モードに切替えるように構成されている。
【０１５５】
また、本変形例２の電力供給システムでは、制御装置が、充電により蓄電ユニットの蓄電量が増加すると、第１の停止モードに切替えるように構成されていてもよい。
【０１５６】
図９Ａ及び図９Ｂは、本変形例２の電力供給システムにおいて、発電システムを起動するときの動作を模式的に示すフローチャートの一例である。
【０１５７】
図９Ａ及び図９Ｂに示すように、本変形例２の電力供給システム１００における発電システム１０１の起動動作は、第２の起動モードを選択した場合の動作が、実施の形態３に係る電力供給システム１００における発電システム１０１の起動動作と異なる。具体的には、制御装置１１０が、発電システム１０１の起動許可信号を出力し、発電システム１０１を起動させる（ステップＳ３０８）までは、変形例１の電力供給システム１００における発電システム１０１の起動動作と同じである。
【０１５８】
本変形例２の電力供給システム１００では、制御装置１１０は、ステップＳ３０８で発電システム１０１の起動開始指令を出力した後、制御装置１１０は、蓄電ユニット１０７の蓄電量が、所定の電力量Ｑ３以上であるか否かを判定する（ステップＳ３０９）。
【０１５９】
そして、制御装置１１０は、蓄電ユニット１０７の蓄電量が、所定の電力量Ｑ３以上であると（ステップＳ３０９でＹｅｓ）、制御装置１１０は、発電システム１０１の起動モードを第１の起動モードに移行するように、制御器１０３に指令する（ステップＳ３１０）。
【０１６０】
これにより、制御器１０３は、発電システム１０１を第２の起動モードから第１の起動モードに移行する。第１の起動モードに移行すると、例えば、制御器１０３により内部電力負荷である電動補機の操作量が増加され得る。
【０１６１】
なお、所定の電力量Ｑ３は、任意に設定することができ、例えば、発電システム１０１の起動モードを第１の起動モードに切替えて、起動動作を継続するのに必要な電力量であってもよい。第１の起動モードで起動動作を継続するのに必要な電力量は、例えば、第１の起動モードで起動動作を継続することで起動動作が完了するまでの間に内部電力負荷により消費される累積消費電力量であってもよい。
【０１６２】
このように構成された本変形例２の電力供給システム１００（電力供給システム１００の制御装置１１０）であっても、実施の形態３に係る電力供給システム１００（電力供給システム１００の制御装置１１０）と同様の作用効果を奏する。また、本変形例２の電力供給システム１００（電力供給システム１００の制御装置１１０）では、蓄電ユニット１０７を充電して、蓄電ユニット１０７の蓄電量が所定の電力量以上になると、第１の起動モードに移行されるので、実施の形態３に係る電力供給システム１００（電力供給システム１００の制御装置１１０）に比べて、発電システム１０１の起動時間を短縮することができる。
【０１６３】
次に、本変形例２の電力供給システム１００の発電を停止するときの動作について、図９Ｃ及び図９Ｄを参照しながら説明する。
【０１６４】
図９Ｃ及び図９Ｄは、本変形例２の電力供給システムにおいて、発電システムの発電を停止するときの動作を模式的に示すフローチャートの一例である。
【０１６５】
図９Ｃ及び図９Ｄに示すように、本変形例２の電力供給システム１００における発電システム１０１の発電を停止するときの動作は、第２の停止モードを選択した場合の動作が、実施の形態３に係る電力供給システム１００における発電システム１０１の発電を停止するときの動作と異なる。
【０１６６】
具体的には、制御装置１１０が、発電システム１０１の発電停止を許可する信号を出力し、発電システム１０１の発電を停止させる（ステップＳ３０８Ｂ）までは、変形例１の電力供給システム１００における発電システム１０１の発電を停止するときの動作と同じである。
【０１６７】
本変形例２の電力供給システム１００では、制御装置１１０は、ステップＳ３０８Ｂで発電システム１０１の発電を停止する指令を出力した後、制御装置１１０は、蓄電ユニット１０７の蓄電量が、所定の電力量ＱＢ３以上であるか否かを判定する（ステップＳ３０９Ｂ）。
【０１６８】
そして、制御装置１１０は、蓄電ユニット１０７の蓄電量が、所定の電力量Ｑ３Ｂ以上であると（ステップＳ３０９ＢでＹｅｓ）、制御装置１１０は、発電システム１０１の停止モードを第１の停止モードに移行するように、制御器１０３に指令する（ステップＳ３１０Ｂ）。
【０１６９】
これにより、制御器１０３は、発電システム１０１を第２の停止モードから第１の停止モードに移行する。第１の停止モードに移行すると、例えば、制御器１０３により内部電力負荷である電動補機の操作量が増加される。
【０１７０】
なお、所定の電力量Ｑ３Ｂは、任意に設定することができ、例えば、発電システム１０１の停止モードを第１の停止モードに切替えて、発電停止後の処理動作を継続するのに必要な電力量であってもよい。第１の停止モードで発電停止後の処理動作を継続するのに必要な電力量は、例えば、第１の停止モードで発電停止後の処理動作を継続することで発電停止後の処理動作が完了するまでの間に内部電力負荷により消費される累積消費電力量であってもよい。
【０１７１】
このように、本変形例２の電力供給システム１００（電力供給システム１００の制御装置１１０）では、蓄電ユニット１０７を充電して、蓄電ユニット１０７の蓄電量が所定の電力量以上になると、第１の停止モードに移行されるので、実施の形態３に係る電力供給システム１００（電力供給システム１００の制御装置１１０）に比べて、発電システム１０１の発電停止後の処理動作が実行される時間を短縮することができる。
【０１７２】
なお、本変形例２の電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
【０１７３】
［変形例３］
本実施の形態３に係る電力供給システムの変形例３の電力供給システムは、制御装置が、外部電力負荷の消費電力が減少すると、第１の起動モードに切替えるように構成されている。
【０１７４】
また、本変形例３の電力供給システムでは、制御装置が、外部電力負荷の消費電力が減少すると、第１の停止モードに切替えるように構成されていてもよい。
【０１７５】
図１０Ａ及び図１０Ｂは、本変形例３の電力供給システムにおいて、発電システムを起動するときの動作を模式的に示すフローチャートの一例である。
【０１７６】
図１０Ａ及び図１０Ｂに示すように、本変形例３の電力供給システム１００における発電システム１０１の起動動作は、第２の起動モードを選択した場合の動作が、実施の形態３に係る電力供給システム１００における発電システム１０１の起動動作と異なる。具体的には、制御装置１１０が、発電システム１０１の起動許可信号を出力し、発電システム１０１を起動させる（ステップＳ３０８）までは、実施の形態３に係る電力供給システム１００における発電システム１０１の起動動作と同じである。
【０１７７】
本変形例３の電力供給システム１００では、制御装置１１０は、ステップＳ３０８で発電システム１０１の起動開始指令を出力した後、電力検知器１０６から発電システム１０１及び外部電力負荷１０５で使用されている電力（消費電力）を取得する。ついで、制御装置１１０は、取得した上記消費電力のうち外部電力負荷１０５の消費電力が、起動モード変更電力Ｐ２以上であるか否かを判定する（ステップＳ３０９Ａ）。
【０１７８】
ここで、起動モード変更電力Ｐ２は、第１の起動モードに起動動作を切替えても、上限電力Ｐ１を超えることのない外部電力負荷１０５の消費電力値として設定される。具体的には、上限電力Ｐ１から第１の起動モードでの起動電力を減算した値よりも小さい電力値が設定される。
【０１７９】
なお、第１の起動モードでの起動電力は、第１の起動モードに切替えた後に、内部電力負荷１０２で消費する電力の最大値であることが好ましい。また、外部電力負荷１０５の消費電力は、電力検知器１０６より取得された消費電力から発電システム１０１の内部電力負荷１０２の消費電力を減算して算出して求められるが、内部電力負荷１０２の消費電力の把握の方法は任意である。例えば、制御装置１１０が、発電システム１０１の制御器１０３より取得した内部電力負荷１０２への制御値に基づき、内部電力負荷１０２の消費電力を算出する形態であってもよい。また、制御装置１１０が、発電システム１０１に内蔵される図示されない電力検知器より、内部電力負荷１０２への入力電力を取得する形態であってもよい。
【０１８０】
そして、制御装置１１０は、外部電力負荷１０５の消費電力が、起動モード変更電力Ｐ２以下になると（ステップＳ３０９ＡでＹｅｓ）、第１の起動モードに移行するように、制御器１０３を制御する（ステップＳ３１０）。
【０１８１】
このように構成された本変形例３の電力供給システム１００（電力供給システム１００の制御装置１１０）であっても、実施の形態３に係る電力供給システム１００（電力供給システム１００の制御装置１１０）と同様の作用効果を奏する。また、本変形例３の電力供給システム１００（電力供給システム１００の制御装置１１０）では、外部電力負荷１０５の消費電力が減少すると、第１の起動モードに切替えることにより、実施の形態３に係る電力供給システム１００（電力供給システム１００の制御装置１１０）に比べ、発電システム１０１の起動時間を短縮することができる。
【０１８２】
次に、本変形例３の電力供給システム１００の発電を停止するときの動作について、図１０Ｃ及び図１０Ｄを参照しながら説明する。
【０１８３】
図１０Ｃ及び図１０Ｄは、本変形例３の電力供給システムにおいて、発電システムの発電を停止するときの動作を模式的に示すフローチャートの一例である。
【０１８４】
図１０Ｃ及び図１０Ｄに示すように、本変形例３の電力供給システム１００における発電システム１０１の発電を停止するときの動作は、第２の停止モードを選択した場合の動作が、実施の形態３に係る電力供給システム１００における発電システム１０１の発電を停止するときの動作と異なる。
【０１８５】
具体的には、制御装置１１０が、発電システム１０１の発電停止を許可する信号を出力し、発電システム１０１の発電を停止させる（ステップＳ３０８Ｂ）までは、実施の形態３に係る電力供給システム１００における発電システム１０１の発電を停止するときの動作と同じである。
【０１８６】
本変形例３の電力供給システム１００では、制御装置１１０は、ステップＳ３０８Ｂで発電システム１０１の発電停止を許可する指令を出力した後、電力検知器１０６から発電システム１０１及び外部電力負荷１０５で使用されている電力（消費電力）を取得する。ついで、制御装置１１０は、取得した上記消費電力のうち外部電力負荷１０５の消費電力が、停止モード変更電力Ｐ２Ｂ以上であるか否かを判定する（ステップＳ３０９Ｃ）。
【０１８７】
ここで、停止モード変更電力Ｐ２Ｂは、第１の停止モードに発電停止後の処理動作を切替えても、上限電力Ｐ１Ｂを超えることのない外部電力負荷１０５の消費電力値として設定される。具体的には、上限電力Ｐ１Ｂから第１の停止モードでの停止電力を減算した値よりも小さい電力値が設定される。なお、第１の停止モードでの停止電力は、第１の停止モードに切替えた後に、内部電力負荷１０２で消費する電力の最大値であることが好ましい。
【０１８８】
そして、制御装置１１０は、外部電力負荷１０５の消費電力が、停止モード変更電力Ｐ２Ｂ以下になると（ステップＳ３０９ＣでＹｅｓ）、第１の停止モードに移行するように、制御器１０３を制御する（ステップＳ３１０Ｂ）。
【０１８９】
このように、本変形例３の電力供給システム１００（電力供給システム１００の制御装置１１０）では、蓄電ユニット１０７を充電して、蓄電ユニット１０７の蓄電量が所定の電力量以上になると、第１の停止モードに移行されるので、実施の形態３に係る電力供給システム１００（電力供給システム１００の制御装置１１０）に比べて、発電システム１０１の発電停止後の処理動作を実行する時間を短縮することができる。
【０１９０】
なお、本変形例３の電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
（実施の形態４）
本実施の形態４に係る電力供給システムは、制御装置が、蓄電ユニットからの供給可能電力に基づいて発電システムの起動の許否を決定するように構成されている。ここで、「蓄電ユニットからの供給可能電力に基づいて」とは、外部電力負荷の消費電力と発電システムの起動電力とを加算した電力から蓄電ユニットが供給可能な電力を減算した電力が、上限電力以下であるか否かを基準にすることをいう。
【０１９１】
また、本実施の形態４に係る電力供給システムは、制御装置が、蓄電ユニットからの供給可能電力に基づいて発電システムの発電の停止の許否を決定するように構成されていてもよい。
【０１９２】
本実施の形態４に係る電力供給システム１００は、実施の形態１に係る電力供給システム１００と基本的構成は同じであるため、構成の説明は省略する。
【０１９３】
図１１Ａは、本実施の形態４に係る電力供給システムにおいて、発電システムを起動するときの動作を模式的に示すフローチャートの一例である。
【０１９４】
図１１Ａに示すように、本実施の形態４に係る電力供給システム１００における発電システム１０１の起動動作は、実施の形態２に係る電力供給システム１００における発電システム１０１の起動動作のステップＳ２０３に代えて、ステップＳ２０３Ａが行われる。
【０１９５】
具体的には、制御装置１１０は、消費電力と起動電力の合計が、上限電力Ｐ１を超える場合（ステップＳ２０２でＹｅｓ）に、外部電力負荷１０５の消費電力と発電システム１０１の起動電力とを加算した電力から蓄電ユニット１０７が供給可能な電力を減算した電力（すなわち、消費電力＋起動電力−供給可能電力）が、上限電力Ｐ１以下であるか否かを判断する（ステップＳ２０３Ａ）。また、蓄電ユニット１０７からの供給可能電力は、制御装置２００内の記憶部によって予め保持されている。
【０１９６】
消費電力と起動電力を加算した電力から供給可能電力を減算した電力が、上限電力Ｐ１以下である場合（ステップＳ２０３ＡでＹｅｓ）には、制御装置１１０は、蓄電ユニット１０７の電力制御器１０８に、蓄電ユニット１０７より電力を出力させるように制御する（ステップＳ２０４）。一方、消費電力と起動電力を加算した電力から供給可能電力を減算した電力が、上限電力Ｐ１よりも大きい場合（ステップＳ２０３ＡでＮｏ）には、発電システム１０１の起動を拒否する（ステップＳ２０６）。
【０１９７】
なお、本実施の形態４に係る電力供給システム１００（電力供給システム１００の制御装置１１０）では、ステップＳ２０６で発電システム１０１の起動が拒否されると、図１０に示すフローを停止する形態としたが、これに限定されず、ステップＳ２０５で発電システムが起動するまで、ステップＳ２０１に戻り、上記フローを繰り返し実行する形態（すなわち、発電システム１０１の起動を待機させる形態）を採用してもよい。
【０１９８】
このように構成された本実施の形態４に係る電力供給システム１００（電力供給システム１００の制御装置１１０）は、実施の形態２に係る電力供給システム１００（電力供給システム１００の制御装置１１０）と同様の作用効果を奏する。また、蓄電ユニット１０７からの出力電力では、上限電力Ｐ１以下にすることができないときには、発電システム１０１が起動されないので、発電システム１０１の起動動作が中断されることが抑制される。つまり、本実施の形態４に係る電力供給システム１００（電力供給システム１００の制御装置１１０）は、実施の形態２に係る電力供給システム１００（電力供給システム１００の制御装置１１０）に比べ、起動性がより向上する。
【０１９９】
次に、本実施の形態４に係る電力供給システム１００の発電を停止するときの動作について、図１１Ｂを参照しながら説明する。
【０２００】
図１１Ｂは、本実施の形態４に係る電力供給システムにおいて、発電システムの発電を停止するときの動作を模式的に示すフローチャートの一例である。
【０２０１】
図１１Ｂに示すように、本実施の形態４に係る電力供給システム１００における発電システム１０１の発電を停止するときの動作は、実施の形態２に係る電力供給システム１００における発電システム１０１の発電を停止するときの動作と基本的動作は同じであるが、実施の形態２に係る電力供給システム１００における発電システム１０１の発電を停止するときの動作のステップＳ２０３Ｂに代えて、ステップＳ２０３Ｃが行われる点が異なる。
【０２０２】
具体的には、ステップＳ２０３Ｃでは、制御装置１１０は、外部電力負荷１０５の消費電力と発電システム１０１の停止電力とを加算した電力から蓄電ユニット１０７が供給可能な電力を減算した電力（すなわち、消費電力＋停止電力−供給可能電力）が、上限電力Ｐ１Ｂ以下であるか否かを判断する。これにより、蓄電ユニット１０７からの出力電力によって、上限電力Ｐ１Ｂ以下にすることができるときに、発電システム１０１の発電が停止され、その後の処理動作が実行される。
【０２０３】
このように、本実施の形態４に係る電力供給システム１００（電力供給システム１００の制御装置１１０）では、蓄電ユニット１０７からの出力電力によって、上限電力Ｐ１Ｂ以下にすることができるときに、発電システム１０１の発電が停止され、その後の処理動作が実行されるため、実施の形態２に係る電力供給システム１００（電力供給システム１００の制御装置１１０）に比べ、停止性がより向上する。
【０２０４】
なお、本実施の形態４に係る電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
【０２０５】
（実施の形態５）
本実施の形態５に係る電力供給システムは、制御装置が、蓄電ユニットからの供給可能電力に基づいて前記発電システムの起動モードを起動電力が相対的に大きい第１の起動モードと、起動電力が相対的に小さい第２の起動モードとの間で切替えるように構成されている。
【０２０６】
また、本実施の形態５に係る電力供給システムでは、制御装置が、蓄電ユニットからの供給可能電力に基づいて前記発電システムの停止モードを停止電力が相対的に大きい第１の停止モードと、停止電力が相対的に小さい第２の停止モードとの間で切替えるように構成されていてもよい。
【０２０７】
本実施の形態５に係る電力供給システム１００は、実施の形態１に係る電力供給システム１００と基本的構成は同じであるため、構成の説明は省略する。
【０２０８】
図１２Ａは、本実施の形態５に係る電力供給システムにおいて、発電システムを起動するときの動作を模式的に示すフローチャートの一例である。
【０２０９】
図１２Ａに示すように、実施の形態３に係る電力供給システム１００と同様に、発電システム１０１が起動を控えているとき、制御装置１１０は、電力検知器１０６から外部電力負荷１０５で使用されている電力（消費電力）を取得する（ステップＳ３０１）。
【０２１０】
次に、制御装置１１０は、ステップＳ３０１で取得した外部電力負荷１０５の消費電力と発電システム１０１の起動電力との合計が、電力系統１０４からの使用可能な上限電力Ｐ１を超えるか否かを判定する（ステップＳ３０２）。そして、制御装置１１０は、消費電力と起動電力の合計が、上限電力Ｐ１を超える場合（ステップＳ３０２でＹｅｓ）に、外部電力負荷１０５の消費電力と発電システム１０１の起動電力とを加算した電力から蓄電ユニット１０７が供給可能な電力を減算した電力（すなわち、消費電力＋起動電力−供給可能電力）が、上限電力Ｐ１以下であるか否かを判断する（ステップＳ３０３Ａ）。なお、ステップＳ３０３Ａで用いられる起動電力は、ステップＳ３０２と同様に、発電システム１０１を第１の起動モードで起動したときの起動電力が用いられる。
【０２１１】
外部電力負荷１０５の消費電力と発電システム１０１の起動電力とを加算した電力から蓄電ユニット１０７が供給可能な電力を減算した電力が、上限電力Ｐ１以下である場合（ステップＳ３０３ＡでＹｅｓ）には、制御装置１１０は、第１の起動モードを選択する（ステップＳ３０４）。一方、制御装置１１０は、外部電力負荷１０５の消費電力と発電システム１０１の起動電力とを加算した電力から蓄電ユニット１０７が供給可能な電力を減算した電力が、上限電力Ｐ１よりも大きい場合（ステップＳ３０３ＡでＮｏ）には、第２の起動モードを選択する（ステップＳ３０５）。
【０２１２】
このように構成された本実施の形態５に係る電力供給システム１００（電力供給システム１００の制御装置１１０）であっても、実施の形態４に係る電力供給システム１００（電力供給システム１００の制御装置１１０）と同様の作用効果を奏する。また、本実施の形態５に係る電力供給システム１００（電力供給システム１００の制御装置１１０）では、蓄電ユニット１０７からの出力電力を利用しても上限電力Ｐ１以下にならなくても、相対的に起動電力の小さい第２の起動モードで起動させるよう構成されているため、実施の形態４に係る電力供給システム１００（電力供給システム１００の制御装置１１０）に比べ、起動性がより向上する。
【０２１３】
次に、本実施の形態５に係る電力供給システム１００の発電を停止するときの動作について、図１２Ｂを参照しながら説明する。
【０２１４】
図１２Ｂは、本実施の形態５に係る電力供給システムにおいて、発電システムの発電を停止するときの動作を模式的に示すフローチャートの一例である。
【０２１５】
図１２Ｂに示すように、本実施の形態５に係る電力供給システム１００における発電システム１０１の発電を停止するときの動作は、実施の形態３に係る電力供給システム１００における発電システム１０１の発電を停止するときの動作と基本的動作は同じであるが、実施の形態３に係る電力供給システム１００における発電システム１０１の発電を停止するときの動作のステップＳ３０３Ｂに代えて、ステップＳ３０３Ｃが行われる点が異なる。
【０２１６】
具体的には、ステップＳ３０３Ｃでは、制御装置１１０は、外部電力負荷１０５の消費電力と発電システム１０１の停止電力とを加算した電力から蓄電ユニット１０７が供給可能な電力を減算した電力（すなわち、消費電力＋停止電力−供給可能電力）が、上限電力Ｐ１Ｂ以下であるか否かを判断する。これにより、蓄電ユニット１０７からの出力電力によって、上限電力Ｐ１Ｂ以下にすることができるときに、第１の停止モードで発電システム１０１の発電停止後の処理動作が実行され、蓄電ユニット１０７からの出力電力によって、上限電力Ｐ１Ｂ以下にすることができないときには、第２の停止モードで発電システム１０１の発電停止後の処理動作が実行される。
【０２１７】
このように、本実施の形態５に係る電力供給システム１００（電力供給システム１００の制御装置１１０）では、蓄電ユニット１０７からの出力電力を利用しても上限電力Ｐ１Ｂ以下にならなくても、相対的に停止電力の小さい第２の停止モードで発電停止後の処理動作をするよう構成されているため、実施の形態４に係る電力供給システム１００に比べ、停止性がより向上する。
【０２１８】
なお、本実施の形態５に係る電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
【０２１９】
（実施の形態６）
本実施の形態６に係る電力供給システムは、制御装置が、発電システムを起動するときに、発電システムの起動電力と外部電力負荷の消費電力との合計が電力系統から受電可能な上限電力を超えると予測される場合に、電力系統から供給される電力が、上限電力を超えないように、蓄電ユニットの電力を発電システム及び外部電力負荷の少なくともいずれか一方に供給するように制御する第１の制御、及び、発電システムの発電を停止するときに発電システムの停止電力と外部電力負荷の消費電力との合計が電力系統から受電可能な上限電力を超えると予測される場合に、電力系統から供給される電力が、上限電力を超えないように、蓄電ユニットの電力を発電システム及び外部電力負荷の少なくともいずれか一方に供給するように制御する第２の制御、の少なくともいずれか一方を実行するように構成されている。
【０２２０】
なお、本実施の形態６においては、「発電システムが起動するとき」が、発電システムの起動動作を行っているときである場合について説明する。同様に、本実施の形態６においては、「発電システムが停止するとき」が、発電システムの発電停止後の処理動作を行っているときである場合について説明する。
【０２２１】
また、本実施の形態６においては、発電システムの起動するときに、発電システムの起動電力及び外部電力負荷の消費電力との合計が電力系統から受電可能な上限電力を超えるか否かの予測は、以下のようにして行う。
【０２２２】
すなわち、発電システムの起動動作を行っているときに、電力検知器が、発電システム及び外部電力負荷の消費電力を検知し、制御装置が、電力検知器が検知した発電システム及び外部電力負荷の消費電力との合計（発電システムの起動電力及び外部電力負荷の消費電力との合計）が、電力系統から受電可能な上限電力を超えるか否かを判断することで行う。
【０２２３】
同様に、本実施の形態６においては、発電システムの停止するときに、発電システムの起動電力及び外部電力負荷の消費電力との合計が電力系統から受電可能な上限電力を超えるか否かの予測は、以下のようにして行う。
【０２２４】
すなわち、発電システムの発電停止後の処理動作を行っているときに、電力検知器が、発電システム及び外部電力負荷の消費電力を検知し、制御装置が、電力検知器が検知した発電システム及び外部電力負荷の消費電力との合計（発電システムの停止電力及び外部電力負荷の消費電力との合計）が、電力系統から受電可能な上限電力を超えるか否かを判断することで行う。
【０２２５】
なお、上記発電システムの消費電力は、具体的には、発電システムの内部電力負荷の消費電力となる。また、制御装置による、発電システムの起動電力及び外部電力負荷の消費電力との合計が電力系統から受電可能な上限電力を超えるか否かの予測は、例えば、内部電力負荷及び外部電力負荷の消費電力の増加量に基づいて予測を行ってもよく、また、過去の使用履歴から予測を行ってもよく、上限電力を超えるか否かの予測を行うことができれば、どのような態様であってもよい。
【０２２６】
同様に、制御装置による、発電システムの停止電力及び外部電力負荷の消費電力との合計が電力系統から受電可能な上限電力を超えるか否かの予測は、例えば、内部電力負荷及び外部電力負荷の消費電力の増加量に基づいて予測を行ってもよく、また、過去の使用履歴から予測を行ってもよく、上限電力を超えるか否かの予測を行うことができれば、どのような態様であってもよい。
【０２２７】
本実施の形態６に係る電力供給システム１００は、実施の形態１に係る電力供給システム１００と基本的構成は同じであるため、構成の説明は省略する。
【０２２８】
図１３Ａは、本実施の形態６に係る電力供給システムにおいて、発電システムを起動するときの動作を模式的に示すフローチャートの一例である。
【０２２９】
まず、発電システム１０１が起動を開始して起動動作中であるとき、制御装置１１０は、図１３Ａに示すように、電力検知器１０６から発電システム１０１（具体的には、内部電力負荷１０２）及び外部電力負荷１０５で使用されている電力（消費電力）を取得する（ステップＳ４０１）。
【０２３０】
次に、制御装置１１０は、ステップＳ４０１で取得した外部電力負荷１０５の消費電力と発電システム１０１の消費電力との合計が、電力系統１０４からの使用可能な上限電力Ｐ３を超えるか否かを判定する（ステップＳ４０２）。消費電力と起動電力の合計が、上限電力Ｐ３以上である場合（ステップＳ４０２でＹｅｓ）には、ステップＳ４０３に進み、上限電力Ｐ３未満である場合（ステップＳ４０２でＮｏ）には、ステップＳ４０４に進む。ここで、上限電力Ｐ３は、発電システム１０１の起動動作を中断させない（継続させる）観点から、上限電力Ｐ１よりも低い電力であることが好ましい。
【０２３１】
ステップＳ４０３では、制御装置１１０は、蓄電ユニット１０７の電力制御器１０８に蓄電ユニット１０７から電力を出力させるように制御する。これにより、電力制御器１０８は、蓄電ユニット１０７から外部電力負荷１０５及び発電システム１０１（具体的には、内部電力負荷１０２）に電力を供給させる。このとき、電力制御器１０８は、電力検知器１０６で検知された発電システム１０１及び外部電力負荷１０５で使用されている電力が、上限電力Ｐ３未満となるように、蓄電ユニット１０７を制御する。なお、この蓄電ユニット１０７の制御において、電力制御器１０８は、蓄電ユニット１０７が、少なくとも外部電力負荷１０５に電力を供給するよう制御してもよい。
【０２３２】
次に、制御装置１１０は、ステップＳ４０４に進み、制御器１０３に発電システム１０１の起動継続信号を出力する。これにより、制御器１０３は、発電システム１０１の起動を継続させる。
【０２３３】
このように、本実施の形態６に係る電力供給システム１００（電力供給システム１００の制御装置１１０）では、発電システム１０１の起動動作中において、外部電力負荷１０５の消費電力が大きくなり、電力系統１０４からの上限電力Ｐ３を超えると予測されるような場合であっても、発電システム１０１の起動動作を継続することが可能となる。これにより、本実施の形態６に係る電力供給システム１００（電力供給システム１００の制御装置１１０）では、従来の発電システムに比して起動性を向上しながら、電力系統１０４からの上限電力を超えることが抑制される。
【０２３４】
次に、本実施の形態６に係る電力供給システム１００の発電を停止するときの動作について、図１３Ｂを参照しながら説明する。
【０２３５】
図１３Ｂは、本実施の形態６に係る電力供給システムにおいて、発電システムの発電を停止するときの動作を模式的に示すフローチャートの一例である。
【０２３６】
まず、発電システム１０１が発電を停止して、その後、発電システム１０１の発電停止後の処理動作中であるとき、制御装置１１０は、図１３Ｂに示すように、電力検知器１０６から発電システム１０１（具体的には、内部電力負荷１０２）及び外部電力負荷１０５で使用されている電力（消費電力）を取得する（ステップＳ４０１Ｂ）。
【０２３７】
次に、制御装置１１０は、ステップＳ４０１Ｂで取得した外部電力負荷１０５の消費電力と発電システム１０１の消費電力との合計が、電力系統１０４からの使用可能な上限電力Ｐ３Ｂを超えるか否かを判定する（ステップＳ４０２Ｂ）。消費電力と起動電力の合計が、上限電力Ｐ３Ｂ以上である場合（ステップＳ４０２ＢでＹｅｓ）には、ステップＳ４０３Ｂに進み、上限電力Ｐ３Ｂ未満である場合（ステップＳ４０２ＢでＮｏ）には、ステップＳ４０４Ｂに進む。ここで、上限電力Ｐ３Ｂは、発電システム１０１の発電停止後の処理動作を中断させない（継続させる）観点から、上限電力Ｐ１Ｂよりも低い電力であることが好ましい。
【０２３８】
ステップＳ４０３Ｂでは、制御装置１１０は、蓄電ユニット１０７の電力制御器１０８に蓄電ユニット１０７から電力を出力させるように制御する。これにより、電力制御器１０８は、蓄電ユニット１０７から外部電力負荷１０５及び発電システム１０１（具体的には、内部電力負荷１０２）に電力を供給させる。このとき、電力制御器１０８は、電力検知器１０６で検知された発電システム１０１及び外部電力負荷１０５で使用されている電力が、上限電力Ｐ３Ｂ未満となるように、蓄電ユニット１０７を制御する。なお、この蓄電ユニット１０７の制御において、電力制御器１０８は、蓄電ユニット１０７が、少なくとも外部電力負荷１０５に電力を供給するよう制御してもよい。
【０２３９】
次に、制御装置１１０は、ステップＳ４０４Ｂに進み、制御器１０３に発電システム１０１の発電停止後の処理動作を継続させる信号を出力する。これにより、制御器１０３は、発電システム１０１の発電停止後の処理動作を継続させる。
【０２４０】
このように、本実施の形態６に係る電力供給システム１００（電力供給システム１００の制御装置１１０）では、発電システム１０１の発電停止後の処理動作において、外部電力負荷１０５の消費電力が大きくなり、電力系統１０４からの上限電力Ｐ３Ｂを超えると予測されるような場合であっても、発電システム１０１の発電停止後の処理動作を継続することが可能となる。これにより、本実施の形態６に係る電力供給システム１００（電力供給システム１００の制御装置１１０）では、従来の発電システムに比して、電力系統１０４からの上限電力を超えることを抑制しつつ、発電システム１０１の発電停止後の処理動作を実行することができる。
【０２４１】
なお、本実施の形態６に係る電力供給システム１００では、発電システム１０１を安定して起動動作を継続させる観点から、ステップＳ４０２及びステップＳ４０３の閾値として上限電力Ｐ３を設定したが、これに限定されず、電力系統１０４から受電する電力が上限電力Ｐ１に達しても、電力系統１０４からの電力供給が遮断されない形態であれば、ステップＳ４０２及びステップＳ４０３の閾値として上限電力Ｐ１を設定してもよい。
【０２４２】
同様に、発電システム１０１を安定して発電停止後の処理動作を継続させる観点から、ステップＳ４０２Ｂ及びステップＳ４０３Ｂの閾値として上限電力Ｐ３Ｂを設定したが、これに限定されず、電力系統１０４から受電する電力が上限電力Ｐ１Ｂに達しても、電力系統１０４からの電力供給が遮断されない形態であれば、ステップＳ４０２Ｂ及びステップＳ４０３Ｂの閾値として上限電力Ｐ１Ｂを設定してもよい。
【０２４３】
また、本実施の形態６に係る電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
【０２４４】
（実施の形態７）
本実施の形態７に係る電力供給システムは、制御装置が、蓄電ユニットからの供給可能電力に基づいて発電システムの起動モードを起動電力が相対的に大きい第１の起動モードと、起動電力が相対的に小さい第２の起動モードとの間で切替えるように構成されている。
【０２４５】
また、本実施の形態７に係る電力供給システムでは、制御装置が、蓄電ユニットからの供給可能電力に基づいて発電システムの停止モードを停止電力が相対的に大きい第１の停止モードと、停止電力が相対的に小さい第２の停止モードとの間で切替えるように構成されていてもよい。
【０２４６】
本実施の形態７に係る電力供給システム１００は、実施の形態１に係る電力供給システム１００と基本的構成は同じであるため、構成の説明は省略する。
【０２４７】
図１４Ａは、本実施の形態７に係る電力供給システムにおいて発電システムを起動するときの動作を模式的に示すフローチャートの一例である。
【０２４８】
まず、発電システム１０１が起動を開始して起動動作中であるとき、制御装置１１０は、図１４Ａに示すように、電力検知器１０６から発電システム１０１（具体的には、内部電力負荷１０２）及び外部電力負荷１０５で使用されている電力（消費電力）を取得する（ステップＳ５０１）。
【０２４９】
次に、制御装置１１０は、ステップＳ５０１で取得した消費電力が、上限電力Ｐ３以上であるか否かを判定する（ステップＳ５０２）。制御装置１１０は、外部電力負荷１０５の消費電力が、上限電力Ｐ３以上である場合には（ステップＳ５０２でＹｅｓ）、ステップＳ５０３に進み、上限電力Ｐ３より小さい場合には（ステップＳ５０２でＮｏ）、ステップＳ５０７に進む。
【０２５０】
ステップＳ５０３では、制御装置１１０は、ステップＳ５０１で取得した外部電力負荷１０５の消費電力と発電システム１０１の消費電力との合計から電力外部電力負荷１０５及び発電システム１０１に供給する電力を減算した電力（すなわち、消費電力＋起動電力−供給電力）が、電力系統１０４からの使用可能な上限電力Ｐ１以下になるか否かを判定する。制御装置１１０は、消費電力＋起動電力−供給電力が、上限電力Ｐ１以下である場合（ステップＳ５０３でＹｅｓ）には、ステップＳ５０７に進み、上限電力Ｐ１より大きい場合（ステップＳ５０３でＮｏ）には、ステップＳ５０８に進む。なお、この蓄電ユニット１０７の制御において、電力制御器１０８は、蓄電ユニット１０７が、少なくとも外部電力負荷１０５に電力を供給するよう制御してもよい。
【０２５１】
ステップＳ５０８では、制御装置１１０は、第２の起動モードを選択するように、制御器１０３を制御する。そして、制御装置１１０は、制御器１０３に発電システム１０１の起動継続信号を出力する（ステップＳ５０９）。これにより、制御器１０３は、発電システム１０１の起動を第２の起動モードで継続させる。
【０２５２】
一方、制御装置１１０は、ステップＳ５０２で、発電システム１０１及び外部電力負荷１０５の消費電力が、上限電力Ｐ３より小さい場合や、ステップＳ５０３で、発電システム１０１及び外部電力負荷１０５の消費電力が、上限電力Ｐ３以下である場合には、第１の起動モードを選択するように、制御器１０３を制御する（ステップＳ５０７）。
【０２５３】
そして、制御装置１１０は、制御器１０３に発電システム１０１の起動継続信号を出力する（ステップＳ５０９）。これにより、制御器１０３は、発電システム１０１の起動を第１の起動モードで継続させる。なお、ステップＳ５０１で取得した消費電力が、上限電力Ｐ３以上となっても、発電システム１０１の起動を継続する場合には、電力制御器１０８は、上記消費電力が上限電力Ｐ１以下になるように蓄電ユニット１０７からの出力電力を制御する。
【０２５４】
このように構成された本実施の形態７に係る電力供給システム１００（電力供給システム１００の制御装置１１０）であっても、実施の形態６に係る電力供給システム１００（電力供給システム１００の制御装置１１０）と同様の作用効果を奏する。また、本実施の形態７に係る電力供給システム１００（電力供給システム１００の制御装置１１０）では、蓄電ユニット１０７からの出力電力を利用しても上限電力Ｐ１以下にならなくても、相対的に起動電力の小さい第２の起動モードを選択し、起動動作の中断を抑制するよう構成されているため、実施の形態６に係る電力供給システム１００（電力供給システム１００の制御装置１１０）に比べて、起動性がより向上する。
【０２５５】
次に、本実施の形態７に係る電力供給システム１００の発電を停止するときの動作について、図１４Ｂを参照しながら説明する。
【０２５６】
図１４Ｂは、本実施の形態７に係る電力供給システムにおいて、発電システムの発電を停止するときの動作を模式的に示すフローチャートの一例である。
【０２５７】
図１４Ｂに示すように、本実施の形態７に係る電力供給システムにおいても、実施の形態６と同様に、発電システム１０１の発電を停止するときの動作が行われ、また、発電を停止するときの動作の各ステップは、上述した発電システム１０１の起動するときの動作と同様の動作が行われる場合がある。このため、以下においては、実施の形態６で説明した動作及び上述した発電システム１０１の起動するときの動作と異なる動作が行われるステップについて説明する。具体的には、ステップＳ５０３Ｂ、ステップＳ５０７Ｂ、及びステップＳ５０８Ｂである。
【０２５８】
ステップＳ５０３Ｂでは、制御装置１１０は、ステップＳ５０１Ｂで取得した外部電力負荷１０５の消費電力と発電システム１０１の消費電力との合計から電力外部電力負荷１０５及び発電システム１０１に供給する電力を減算した電力（すなわち、消費電力＋起動電力−供給電力）が、電力系統１０４からの使用可能な上限電力Ｐ１Ｂ以下になるか否かを判定する。制御装置１１０は、消費電力＋起動電力−供給電力が、上限電力Ｐ１Ｂ以下である場合（ステップＳ５０３ＢでＹｅｓ）には、ステップＳ５０７Ｂに進み、上限電力Ｐ１Ｂより大きい場合（ステップＳ５０３ＢでＮｏ）には、ステップＳ５０８Ｂに進む。
【０２５９】
ステップＳ５０８Ｂでは、制御装置１１０は、第２の停止モードを選択するように、制御器１０３を制御する。一方、制御装置１１０は、ステップＳ５０２Ｂで、発電システム１０１及び外部電力負荷１０５の消費電力が、上限電力Ｐ３Ｂより小さい場合や、ステップＳ５０３Ｂで、発電システム１０１及び外部電力負荷１０５の消費電力が、上限電力Ｐ３Ｂ以下である場合には、第１の停止モードを選択するように、制御器１０３を制御する（ステップＳ５０７Ｂ）。
【０２６０】
このように、本実施の形態７に係る電力供給システム１００（電力供給システム１００の制御装置１１０）では、蓄電ユニット１０７からの出力電力を利用しても上限電力Ｐ１Ｂ以下にならなくても、相対的に停止電力の小さい第２の停止モードを選択し、発電停止後の処理動作の中断を抑制するよう構成されているため、実施の形態６に係る電力供給システム１００（電力供給システム１００の制御装置１１０）に比べて、停止性がより向上する。
【０２６１】
なお、本実施の形態７に係る電力供給システム１００（電力供給システム１００の制御装置１１０）では、第２の起動モードを選択した（ステップＳ５０８）後、発電システム１０１の起動を継続させる形態を採用したが、これに限定されず、第２の起動モードの選択とともに、電力制御器１０８に蓄電ユニット１０７を充電するように制御信号を出力してから、発電システム１０１の起動を継続させる形態を採用してもよい。
【０２６２】
同様に、本実施の形態７に係る電力供給システム１００（電力供給システム１００の制御装置１１０）では、第２の停止モードを選択した（ステップＳ５０８Ｂ）後、発電システム１０１の発電停止後の処理動作を継続させる形態を採用したが、これに限定されず、第２の停止モードの選択とともに、電力制御器１０８に蓄電ユニット１０７を充電するように制御信号を出力してから、発電システム１０１の発電停止後の処理動作を継続させる形態を採用してもよい。
【０２６３】
また、本実施の形態７に係る電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
【０２６４】
（実施の形態８）
本実施の形態８に係る電力供給システムは、制御装置が蓄電ユニットの蓄電量に基づいて発電システムの起動モードを発電システムの起動電力が相対的に大きい第１の起動モードと、起動電力が相対的に小さい第２の起動モードとの間で切替えるように構成されている。
【０２６５】
また、本実施の形態８に係る電力供給システムは、制御装置が蓄電ユニットの蓄電量に基づいて発電システムの停止モードを発電システムの停止電力が相対的に大きい第１の停止モードと、停止電力が相対的に小さい第２の停止モードとの間で切替えるように構成されていてもよい。
【０２６６】
本実施の形態８に係る電力供給システム１００は、実施の形態１に係る電力供給システム１００と基本的構成は同じであるため、構成の説明は省略する。
【０２６７】
図１５Ａは、本実施の形態８に係る電力供給システムにおいて発電システムを起動するときの動作を模式的に示すフローチャートの一例である。
【０２６８】
まず、実施の形態７と同様に、発電システム１０１が起動を開始して起動動作中であるとき、制御装置１１０は、図１５Ａに示すように、電力検知器１０６から発電システム１０１（具体的には、内部電力負荷１０２）及び外部電力負荷１０５で使用されている電力（消費電力）を取得する（ステップＳ６０１）。
【０２６９】
次に、制御装置１１０は、ステップＳ６０１で取得したステップＳ６０１で取得した外部電力負荷１０５の消費電力と発電システム１０１の消費電力との合計が、上限電力Ｐ３以上であるか否かを判定する（ステップＳ６０２）。外部電力負荷１０５の消費電力と発電システム１０１の消費電力との合計が、上限電力Ｐ３以上である場合（ステップＳ６０２でＹｅｓ）には、ステップＳ６０３に進み、上限電力Ｐ３より小さい場合（ステップＳ６０２でＮｏ）には、ステップＳ６０６に進む。
【０２７０】
ステップＳ６０３では、制御装置１１０は、蓄電ユニット１０７の蓄電量が、所定の電力量Ｑ３以上であるか否かを判定する。蓄電ユニット１０７の蓄電量が、所定の電力量Ｑ３以上である場合（ステップＳ６０３でＹｅｓ）には、ステップＳ６０４に進み、所定の電力量Ｑ３より小さい場合（ステップＳ６０３でＮｏ）には、ステップＳ６０５に進む。なお、所定の電力量Ｑ３は、任意に設定することができ、例えば、発電システム１０１を第１の起動モードで起動動作を継続するのに必要な電力量であってもよい。第１の起動モードで起動動作を継続するのに必要な電力量は、例えば、第１の起動モードで起動動作を継続することで起動動作が完了するまでの間に内部電力負荷により消費される累積消費電力量であってもよい。
【０２７１】
ステップＳ６０４では、制御装置１１０は、第１の起動モードを選択し、ステップＳ６０６に進む。一方、ステップＳ６０５では、制御装置１１０は、第２の起動モードを選択し、ステップＳ６０６に進む。
【０２７２】
そして、ステップＳ６０６では、制御装置１１０は、制御器１０３に発電システム１０１の起動継続信号を出力する。これにより、制御器１０３は、発電システム１０１の起動を継続させる。
【０２７３】
このように構成された本実施の形態８に係る電力供給システム１００（電力供給システム１００の制御装置１１０）であっても、実施の形態６に係る電力供給システム１００（電力供給システム１００の制御装置１１０）と同様の作用効果を奏する。また、本実施の形態８に係る電力供給システム１００（電力供給システム１００の制御装置１１０）では、蓄電ユニット１０７の蓄電量が、第１の起動モードを継続可能な量でなくても、相対的に起動電力の小さい第２の起動モードに変更することで、起動動作の中断を抑制するよう構成されているため、実施の形態６に係る電力供給システム１００（電力供給システム１００の制御装置１１０）に比べて、起動性がより向上する。
【０２７４】
次に、本実施の形態８に係る電力供給システム１００の発電を停止するときの動作について、図１５Ｂを参照しながら説明する。
【０２７５】
図１５Ｂは、本実施の形態８に係る電力供給システムにおいて、発電システムの発電を停止するときの動作を模式的に示すフローチャートの一例である。
【０２７６】
図１５Ｂに示すように、本実施の形態８に係る電力供給システム１００においても、実施の形態６と同様に、発電システム１０１の発電を停止するときの動作が行われ、また、発電を停止するときの動作の各ステップは、上述した発電システム１０１の起動するときの動作と同様の動作が行われる場合がある。このため、以下においては、実施の形態６で説明した動作及び上述した発電システム１０１の起動するときの動作と異なる処理が行われる、ステップＳ６０３Ｂについて説明する。
【０２７７】
ステップＳ６０３Ｂでは、制御装置１１０は、蓄電ユニット１０７の蓄電量が、所定の電力量Ｑ３Ｂ以上であるか否かを判定する。蓄電ユニット１０７の蓄電量が、所定の電力量Ｑ３Ｂ以上である場合（ステップＳ６０３ＢでＹｅｓ）には、ステップＳ６０４Ｂに進み、所定の電力量Ｑ３Ｂより小さい場合（ステップＳ６０３ＢでＮｏ）には、ステップＳ６０５Ｂに進む。なお、所定の電力量Ｑ３Ｂは、任意に設定することができ、例えば、発電システム１０１を第１の停止モードで発電停止後の処理動作を継続するのに必要な電力量であってもよい。第１の停止モードで発電停止後の処理動作を継続するのに必要な電力量は、例えば、第１の停止モードで発電停止後の処理動作を継続することで、発電停止後の処理動作が完了するまでの間に内部電力負荷により消費される累積消費電力量であってもよい。
【０２７８】
このように、本実施の形態８に係る電力供給システム１００（電力供給システム１００の制御装置１１０）では、蓄電ユニット１０７からの出力電力を利用しても上限電力Ｐ１Ｂ以下にならなくても、相対的に停止電力の小さい第２の停止モードを選択し、発電停止後の処理動作の中断を抑制するよう構成されているため、実施の形態６に係る電力供給システム１００（電力供給システム１００の制御装置１１０）に比べて、停止性がより向上する。
【０２７９】
なお、本実施の形態８に係る電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
【０２８０】
［変形例１］
図１６Ａは、本実施の形態８に係る電力供給システムの変形例１において、発電システムを起動するときの動作を模式的に示すフローチャートの一例である。
【０２８１】
図１６Ａに示すように、本変形例１の電力供給システム１００における発電システム１０１の起動動作は、第２の起動モードを選択した場合の動作が、実施の形態８に係る電力供給システム１００における発電システム１０１の起動動作と異なる。
【０２８２】
具体的には、制御装置１１０は、蓄電ユニット１０７の蓄電量が、所定の電力量Ｑ３よりも小さい場合（ステップＳ６０３でＮｏ）、第２の起動モードを選択し、発電システム１０１の起動モードを第１の起動モードから第２の起動モードに切替える（ステップＳ６０５）。そして、制御装置１１０は、蓄電ユニット１０７の電力制御器１０８に充電を行うように制御信号を出力する（ステップＳ６０７）。これにより、電力制御器１０８は、電力系統１０４から上限電力Ｐ３を超えない範囲の電力を、蓄電ユニット１０７を構成する蓄電池の単電池や組電池に供給して、蓄電ユニット１０７を充電させる。次に、制御装置１１０は、発電システム１０１の起動を第２の起動モードで継続させ（ステップＳ６０８）、ステップＳ６０３に戻る。
【０２８３】
このようにして、本変形例１では、蓄電ユニット１０７の蓄電量が、所定の電力量Ｑ３以上になるまで、ステップＳ６０３、ステップＳ６０５、ステップＳ６０７、及びステップＳ６０８を繰り返す。そして、蓄電ユニット１０７の蓄電量が、所定の電力量Ｑ３以上になると、制御装置１１０は、第１の起動モードを選択し、発電システム１０１の起動モードを、第２の起動モードから第１の起動モードに切替える（ステップＳ６０４）。そして、発電システム１０１の起動を第１の起動モードで継続させる（ステップＳ６０６）。
【０２８４】
このように構成された本変形例１の電力供給システム１００（電力供給システム１００の制御装置１１０）であっても、実施の形態８に係る電力供給システム１００（電力供給システム１００の制御装置１１０）と同様の作用効果を奏する。また、本変形例１の電力供給システム１００（電力供給システム１００の制御装置１１０）は、第２の起動モードに移行しても、蓄電ユニット１０７の蓄電量が所定の電力量Ｑ３以上になると、第１の起動モードに切替えられるので、実施の形態８の電力供給システム１００（電力供給システム１００の制御装置１１０）に比べて、発電システム１０１の起動時間をより短縮することができる。
【０２８５】
次に、本変形例１の電力供給システム１００の発電を停止するときの動作について、図１６Ｂを参照しながら説明する。
【０２８６】
図１６Ｂは、本変形例１の電力供給システムにおいて、発電システムの発電を停止するときの動作を模式的に示すフローチャートの一例である。
【０２８７】
図１６Ｂに示すように、本変形例１の電力供給システム１００における発電システム１０１の発電を停止するときの動作は、第２の停止モードを選択した場合の動作が、実施の形態８に係る電力供給システム１００における発電システム１０１の発電を停止するときの動作と異なる。
【０２８８】
具体的には、制御装置１１０は、蓄電ユニット１０７の蓄電量が、所定の電力量Ｑ３Ｂよりも小さい場合（ステップＳ６０３ＢでＮｏ）、第２の停止モードを選択し、発電システム１０１の停止モードを第１の停止モードから第２の停止モードに切替える（ステップＳ６０５Ｂ）。そして、制御装置１１０は、蓄電ユニット１０７の電力制御器１０８に充電を行うように制御信号を出力する（ステップＳ６０７Ｂ）。これにより、電力制御器１０８は、電力系統１０４から上限電力Ｐ３Ｂを超えない範囲の電力を、蓄電ユニット１０７を構成する蓄電池の単電池や組電池に供給して、蓄電ユニット１０７を充電させる。次に、制御装置１１０は、発電システム１０１の発電停止後の処理動作を第２の停止モードで継続させ（ステップＳ６０８Ｂ）、ステップＳ６０３Ｂに戻る。
【０２８９】
このようにして、本変形例１では、蓄電ユニット１０７の蓄電量が、所定の電力量Ｑ３Ｂ以上になるまで、ステップＳ６０３Ｂ、ステップＳ６０５Ｂ、ステップＳ６０７Ｂ、及びステップＳ６０８Ｂを繰り返す。そして、蓄電ユニット１０７の蓄電量が、所定の電力量Ｑ３Ｂ以上になると、制御装置１１０は、第１の停止モードを選択し、発電システム１０１の停止モードを、第２の停止モードから第１の停止モードに切替える（ステップＳ６０４Ｂ）。そして、発電システム１０１の発電停止後の処理動作を第１の停止モードで継続させる（ステップＳ６０６Ｂ）。
【０２９０】
このように、本変形例１の電力供給システム１００（電力供給システム１００の制御装置１１０）では、第２の停止モードに移行しても、蓄電ユニット１０７の蓄電量が所定の電力量Ｑ３以上になると、第１の停止モードに切替えられるので、実施の形態８の電力供給システム１００（電力供給システム１００の制御装置１１０）に比べて、発電システム１０１の発電停止後の処理動作を実行する時間をより短縮することができる。
【０２９１】
なお、本変形例１の電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
【０２９２】
［変形例２］
図１７Ａ及び図１７Ｂは、本実施の形態８に係る電力供給システムの変形例２において、発電システムを起動するときの動作を模式的に示すフローチャートの一例である。
【０２９３】
図１７Ａ及び図１７Ｂに示すように、本変形例２の電力供給システム１００における発電システム１０１の起動動作は、第２の起動モードを選択した場合の動作が、実施の形態８に係る電力供給システム１００における発電システム１０１の起動動作と異なる。
【０２９４】
具体的には、制御装置１１０は、第２の起動モードを選択し、（ステップＳ６０５）、制御器１０３に発電システム１０１の起動継続信号を出力する（ステップＳ６０７）。
【０２９５】
次に、制御装置１１０は、電力検知器１０６から取得した発電システム１０１及び外部電力負荷１０５で使用されている電力（消費電力）を取得する。ついで、制御装置１１０は、取得した上記消費電力のうち外部電力負荷１０５の消費電力が、起動モード変更電力Ｐ２以上であるか否かを判定する（ステップＳ６０８）
そして、制御装置１１０は、外部電力負荷１０５の消費電力が、起動モード変更電力Ｐ２未満になると（ステップＳ６０８でＹｅｓ）、第１の起動モードに移行するように、制御器１０３を制御する（ステップＳ６０９）。
【０２９６】
このように構成された本変形例２の電力供給システム１００（電力供給システム１００の制御装置１１０）であっても、実施の形態８に係る電力供給システム１００（電力供給システム１００の制御装置１１０）と同様の作用効果を奏する。また、本変形例２の電力供給システム１００（電力供給システム１００の制御装置１１０）では、外部電力負荷１０５の消費電力が減少すると、第１の起動モードに切替えることにより、実施の形態８に係る電力供給システム１００（電力供給システム１００の制御装置１１０）に比べ、発電システム１０１の起動時間をより短縮することができる。
【０２９７】
次に、本変形例２の電力供給システム１００の発電を停止するときの動作について、図１７Ｃ及び図１７Ｄを参照しながら説明する。
【０２９８】
図１７Ｃ及び図１７Ｄは、本変形例２の電力供給システムにおいて、発電システムの発電を停止するときの動作を模式的に示すフローチャートの一例である。
【０２９９】
図１７Ｃ及び図１７Ｄに示すように、本変形例２の電力供給システム１００における発電システム１０１の発電を停止するときの動作は、第２の停止モードを選択した場合の動作が、実施の形態８に係る電力供給システム１００における発電システム１０１の発電を停止するときの動作と異なる。
【０３００】
具体的には、制御装置１１０は、第２の停止モードを選択し、（ステップＳ６０５Ｂ）、制御器１０３に発電システム１０１の発電停止後の処理動作を継続させる信号を出力する（ステップＳ６０７Ｂ）。
【０３０１】
次に、制御装置１１０は、電力検知器１０６から取得した発電システム１０１及び外部電力負荷１０５で使用されている電力（消費電力）を取得する。ついで、制御装置１１０は、取得した上記消費電力のうち外部電力負荷１０５の消費電力が、停止モード変更電力Ｐ２Ｂ以上であるか否かを判定する（ステップＳ６０８Ｂ）
そして、制御装置１１０は、外部電力負荷１０５の消費電力が、停止モード変更電力Ｐ２Ｂ未満になると（ステップＳ６０８ＢでＹｅｓ）、第１の停止モードに移行するように、制御器１０３を制御する（ステップＳ６０９Ｂ）。
【０３０２】
このように、本変形例２の電力供給システム１００（電力供給システム１００の制御装置１１０）では、外部電力負荷１０５の消費電力が減少すると、第２の停止モードに切替えることにより、実施の形態８に係る電力供給システム１００（電力供給システム１００の制御装置１１０）に比べ、発電システム１０１の発電停止後の処理動作を実行する時間をより短縮することができる。
【０３０３】
なお、本変形例２の電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
【０３０４】
（実施の形態９）
本実施の形態９に係る電力供給システムは、制御装置が、発電システムの起動予定時刻前に電力系統より蓄電ユニットに充電するよう制御する。
【０３０５】
また、本実施の形態９に係る電力供給システムは、制御装置が、発電システムの発電の停止予定時刻前に電力系統及び発電システムの少なくとも一方より蓄電ユニットに充電するよう制御してもよい。
【０３０６】
本実施の形態９に係る電力供給システム１００は、実施の形態１に係る電力供給システム１００と基本的構成は同じであるため、構成の説明は省略する。
【０３０７】
図１８Ａは、本実施の形態９に係る電力供給システムにおいて、発電システムを起動するときの動作を模式的に示すフローチャートの一例である。
【０３０８】
まず、発電システム１０１が起動しておらず、外部電力負荷１０５への電力の供給は、電力系統１０４から行われているとする。この場合において、制御装置１１０は、図１８Ａに示すように、起動予定時刻を取得する（ステップＳ７０１）。具体的には、制御装置１１０は、制御器１０３から起動予定時刻情報を取得する。
【０３０９】
次に、制御装置１１０は、ステップＳ７０１で取得した起動予定時刻と、現在時刻とから、起動予定時刻までの待機時間を算出し、該算出した待機時間が所定の時間Ｔ１以下であるか否かを判定する（ステップＳ７０２）。ここで、所定の時間Ｔ１は、任意に設定される時間であるが、実施の形態１乃至５（変形例を含む）で実行される蓄電ユニットからの電力補給の要否判定の前に、上記蓄電ユニットへの充電制御が実行されるように設定されることが好ましい。
【０３１０】
制御装置１１０は、待機時間が所定の時間Ｔ１よりも大きい場合（ステップＳ７０２でＮｏ）、ステップＳ７０１に戻り、待機時間が所定の時間Ｔ１以下になるまで、ステップＳ７０１とステップＳ７０２を繰り返す。一方、制御装置１１０は、待機時間が所定の時間Ｔ１以下になる（ステップＳ７０２でＹｅｓ）と、ステップＳ７０３に進む。
【０３１１】
ステップＳ７０３では、制御装置１１０は、蓄電ユニット１０７の電力制御器１０８に充電を行うように制御信号を出力する。これにより、電力制御器１０８は、蓄電ユニット１０７を構成する蓄電池の単電池や組電池に電力系統１０４から電力を供給して、蓄電ユニット１０７を充電させる。なお、上記ステップＳ７０１〜Ｓ７０３のフローに示される制御は、実施の形態１乃至５（変形例を含む）のいずれの電力供給システム１００（電力供給システム１００の制御装置１１０）に適用しても構わない。
【０３１２】
このように、本実施の形態９に係る電力供給システム１００（電力供給システム１００の制御装置１１０）では、発電システム１０１の起動を開始する前に、蓄電ユニット１０７を充電するため、蓄電ユニット１０７からの電力補給力が向上するので、実施の形態１に係る電力供給システム１００（電力供給システム１００の制御装置１１０）に比べて、起動性がより向上する。
【０３１３】
次に、制御装置１１０は、起動予定時刻が近づくと、制御装置１１０は、実施の形態１乃至５（変形例を含む）のいずれかで実行される蓄電ユニット１０７からの電力出力の要否判定や発電システム１０１の起動開始の許否判定を行って、起動が許可されれば、発電システム１０１の起動を開始する（ステップＳ７０４）。
【０３１４】
次に、本実施の形態９に係る電力供給システム１００の発電を停止するときの動作について、図１８Ｂを参照しながら説明する。
【０３１５】
図１８Ｂは、本実施の形態９に係る電力供給システムにおいて、発電システムの発電を停止するときの動作を模式的に示すフローチャートの一例である。
【０３１６】
まず、発電システム１０１が発電運転中であるとする。この場合において、制御装置１１０は、図１８Ｂに示すように、発電システム１０１の発電停止予定時刻を取得する（ステップＳ７０１Ｂ）。具体的には、制御装置１１０は、制御器１０３から発電停止予定時刻情報を取得する。
【０３１７】
次に、制御装置１１０は、ステップＳ７０１Ｂで取得した発電停止予定時刻と、現在時刻とから、発電停止予定時刻までの時間を算出し、該算出した時間（以下、算出時間という）が所定の時間Ｔ１Ｂ以下であるか否かを判定する（ステップＳ７０２Ｂ）。ここで、所定の時間Ｔ１Ｂは、任意に設定される時間であるが、実施の形態１乃至５（変形例を含む）で実行される蓄電ユニット１０７からの電力補給の要否判定の前に、上記蓄電ユニット１０７への充電制御が実行されるように設定されることが好ましい。
【０３１８】
制御装置１１０は、算出時間が所定の時間Ｔ１よりも大きい場合（ステップＳ７０２ＢでＮｏ）、ステップＳ７０１に戻り、算出時間が所定の時間Ｔ１Ｂ以下になるまで、ステップＳ７０１ＢとステップＳ７０２Ｂを繰り返す。一方、制御装置１１０は、算出時間が所定の時間Ｔ１Ｂ以下になる（ステップＳ７０２ＢでＹｅｓ）と、ステップＳ７０３Ｂに進む。
【０３１９】
ステップＳ７０３Ｂでは、制御装置１１０は、蓄電ユニット１０７の電力制御器１０８に充電を行うように制御信号を出力する。これにより、電力制御器１０８は、蓄電ユニット１０７を構成する蓄電池の単電池や組電池に電力系統１０４及び発電システム１０１の少なくともいずれか一方から電力を供給して、蓄電ユニット１０７を充電させる。なお、上記ステップＳ７０１Ｂ〜Ｓ７０３Ｂのフローに示される制御は、実施の形態１乃至５（変形例を含む）のいずれの電力供給システム１００（電力供給システム１００の制御装置１１０）に適用しても構わない。
【０３２０】
次に、制御装置１１０は、発電システム１０１の発電停止予定時刻が近づくと、制御装置１１０は、実施の形態１乃至５（変形例を含む）のいずれかで実行される蓄電ユニット１０７からの電力出力の要否判定や発電システム１０１の発電の停止開始の許否判定を行って、発電の停止が許可されれば、発電システム１０１の発電の停止を開始する（ステップＳ７０４Ｂ）。
【０３２１】
このように、本実施の形態９に係る電力供給システム１００（電力供給システム１００の制御装置１１０）では、発電システム１０１の発電の停止を開始する前に、蓄電ユニット１０７を充電するため、蓄電ユニット１０７からの電力補給力が向上するので、従来の発電システムに比べて、停止性がより向上する。
【０３２２】
なお、本実施の形態９に係る電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
【０３２３】
［変形例］
本変形例に係る電力供給システムは、実施の形態９で説明した充電制御において、制御装置が蓄電ユニットの蓄電量に基づいて蓄電ユニットの充電の許否を決定するように構成されている。
【０３２４】
本変形例に係る電力供給システム１００は、実施の形態１に係る電力供給システム１００と基本的構成は同じであるため、構成の説明は省略する。
【０３２５】
図１９Ａは、本変形例に係る電力供給システムにおいて、発電システムを起動するときの動作を模式的に示すフローチャートの一例である。
【０３２６】
図１９Ａに示すように、本変形例に係る電力供給システム１００は、実施の形態９に係る電力供給システム１００と同様に、制御装置１１０は、起動予定時刻を取得し（ステップＳ８０１）、待機時間が所定の時間Ｔ１以下であるか否かを判定する（ステップＳ８０２）。そして、制御装置１１０は、待機時間が所定の時間Ｔ１以下になる（ステップＳ８０２でＹｅｓ）と、ステップＳ８０３に進む。
【０３２７】
ステップＳ８０３では、制御装置１１０は、蓄電ユニット１０７の蓄電量が、所定の電力量Ｑ４以上であるか否かを判定する。制御装置１１０は、蓄電ユニット１０７の蓄電量が、所定の電力量Ｑ４以上である場合（ステップＳ８０３でＹｅｓ）、ステップＳ８０５に進み、所定の電力量Ｑ４より小さい場合（ステップＳ８０３でＮｏ）には、ステップＳ８０４に進む。なお、所定の電力量Ｑ４は、任意に設定することができるが、例えば、発電システム１０１の起動に必要となる電力量であることが好ましい。起動に必要となる電力量は、例えば、起動動作が開始してから完了するまでの間に内部電力負荷により消費される累積消費電力量であってもよい。
【０３２８】
ステップＳ８０４では、制御装置１１０は、蓄電ユニット１０７の電力制御器１０８に充電を行うように制御信号を出力する。これにより、電力制御器１０８は、蓄電ユニット１０７を構成する蓄電池の単電池や組電池に電力系統１０４から電力を供給して、蓄電ユニット１０７を充電させる。そして、制御装置１１０は、ステップＳ８０５に進む。
【０３２９】
ステップＳ８０５では、制御装置１１０は、現在時刻が起動予定時刻であるか否かを判断する。制御装置１１０は、現在時刻が起動予定時刻でない場合（ステップＳ８０５でＮｏ）には、現在時刻が起動予定時刻になるまで、ステップＳ８０３〜ステップＳ８０５を繰り返し、起動予定時刻までに蓄電ユニット１０７の蓄電量が所定の電力量Ｑ４以上になるように制御する。一方、制御装置１１０は、現在時刻が起動予定時刻になる（ステップＳ８０５でＹｅｓ）と、実施の形態１乃至５（変形例を含む）のいずれかで実行される蓄電ユニット１０７からの電力出力の要否判定や発電システム１０１の起動開始の許否判定を行って、起動が許可されれば、ステップＳ８０６に進む。
【０３３０】
そして、ステップＳ８０６では、制御装置１１０は、発電システム１０１の起動を開始する。
【０３３１】
このように構成された本変形例の電力供給システム１００（電力供給システム１００の制御装置１１０）であっても、実施の形態９に係る電力供給システム１００（電力供給システム１００の制御装置１１０）と同様の作用効果を奏する。また、本変形例の電力供給システム１００（電力供給システム１００の制御装置１１０）は、蓄電ユニット１０７の蓄電量に基づき、起動予定時刻までの間、蓄電ユニット１０７への充電を制御するので、実施の形態９に係る電力供給システム１００（電力供給システム１００の制御装置１１０）に比べて、蓄電ユニット１０７へ必要以上に充電が行われることが抑制され、または、蓄電ユニット１０７の充電不足が抑制される。
【０３３２】
次に、本変形例１の電力供給システム１００の発電を停止するときの動作について、図１９Ｂを参照しながら説明する。
【０３３３】
図１９Ｂは、本変形例の電力供給システムにおいて、発電システムの発電を停止するときの動作を模式的に示すフローチャートの一例である。
【０３３４】
図１９Ｂに示すように、本変形例に係る電力供給システム１００は、実施の形態９に係る電力供給システム１００と同様に、制御装置１１０は、発電停止予定時刻を取得し（ステップＳ８０１Ｂ）、ステップＳ８０１Ｂで取得した発電停止予定時刻と、現在時刻とから、発電停止予定時刻までの時間を算出し、該算出した時間（以下、算出時間という）が所定の時間Ｔ１Ｂ以下であるか否かを判定する（ステップＳ８０２Ｂ）。そして、制御装置１１０は、算出時間が所定の時間Ｔ１Ｂ以下になる（ステップＳ８０２ＢでＹｅｓ）と、ステップＳ８０３Ｂに進む。
【０３３５】
ステップＳ８０３Ｂでは、制御装置１１０は、蓄電ユニット１０７の蓄電量が、所定の電力量Ｑ４Ｂ以上であるか否かを判定する。制御装置１１０は、蓄電ユニット１０７の蓄電量が、所定の電力量Ｑ４Ｂ以上である場合（ステップＳ８０３ＢでＹｅｓ）、ステップＳ８０５Ｂに進み、所定の電力量Ｑ４Ｂより小さい場合（ステップＳ８０３ＢでＮｏ）には、ステップＳ８０４Ｂに進む。
【０３３６】
なお、所定の電力量Ｑ４Ｂは、任意に設定することができるが、例えば、発電システム１０１の発電を停止するときの動作に必要となる電力量であることが好ましい。発電を停止するときの動作に必要となる電力量は、例えば、発電停止後の処理動作を開始してから発電停止後の処理動作が完了するまでの間に内部電力負荷により消費される累積消費電力量であってもよい。
【０３３７】
ステップＳ８０４Ｂでは、制御装置１１０は、蓄電ユニット１０７の電力制御器１０８に充電を行うように制御信号を出力する。これにより、電力制御器１０８は、蓄電ユニット１０７を構成する蓄電池の単電池や組電池に電力系統１０４及び発電システム１０１の少なくともいずれか一方から電力を供給して、蓄電ユニット１０７を充電させる。そして、制御装置１１０は、ステップＳ８０５Ｂに進む。
【０３３８】
ステップＳ８０５Ｂでは、制御装置１１０は、現在時刻が発電停止予定時刻であるか否かを判断する。制御装置１１０は、現在時刻が発電停止予定時刻でない場合（ステップＳ８０５ＢでＮｏ）には、現在時刻が発電停止予定時刻になるまで、ステップＳ８０３Ｂ〜ステップＳ８０５Ｂを繰り返し、発電停止予定時刻までに蓄電ユニット１０７の蓄電量が所定の電力量Ｑ４Ｂ以上になるように制御する。一方、制御装置１１０は、現在時刻が発電停止予定時刻になる（ステップＳ８０５ＢでＹｅｓ）と、実施の形態１乃至５（変形例を含む）のいずれかで実行される蓄電ユニット１０７からの電力出力の要否判定や発電システム１０１の発電停止開始の許否判定を行って、発電停止が許可されれば、ステップＳ８０６Ｂに進む。
【０３３９】
そして、ステップＳ８０６Ｂでは、制御装置１１０は、発電システム１０１の発電停止を開始し、その後、発電停止後の処理動作を実行する。
【０３４０】
このように、本変形例の電力供給システム１００（電力供給システム１００の制御装置１１０）は、蓄電ユニット１０７の蓄電量に基づき、発電停止予定時刻までの間、蓄電ユニット１０７への充電を制御するので、実施の形態９に係る電力供給システム１００（電力供給システム１００の制御装置１１０）に比べて、蓄電ユニット１０７へ必要以上に充電が行われることが抑制され、または、蓄電ユニット１０７の充電不足が抑制される。
【０３４１】
なお、本変形例の電力供給システム１００は、制御装置１１０が、発電システム１０１を起動するときにおける蓄電ユニット１０７への制御動作及び発電システム１０１の発電を停止するときにおける蓄電ユニット１０７への制御動作の少なくともいずれか一方を実行するよう構成されていればよい。すなわち、制御装置１１０が、発電システム１０１を起動するときにおける蓄電ユニット１０７への制御動作及び発電システム１０１の発電を停止するときにおける蓄電ユニット１０７への制御動作のいずれか一方のみを実行するよう構成されていてもよいし、発電システム１０１を起動するときにおける蓄電ユニット１０７への制御動作及び発電システム１０１の発電を停止するときにおける蓄電ユニット１０７への制御動作を共に実行するよう構成されていてもよい。
【０３４２】
（実施の形態１０）
ところで、上記実施の形態１乃至９（変形例を含む）に係る電力供給システム１００では、発電システム１０１の起動及び／又は発電を停止するときにおいて、蓄電ユニット１０７から電力を出力するときに、内部電力負荷及び外部電力負荷の両方に電力が供給されるよう構成されている。
【０３４３】
一方、本実施の形態１０に係る電力供給システムは、蓄電ユニットからの出力電力が外部電力負荷及び内部電力負荷の少なくともいずれか一方に供給されるように構成されている形態を例示する。
【０３４４】
［電力供給システムの構成］
図２０は、本実施の形態１０に係る電力供給システム及び電力供給システムの制御装置の概略構成を模式的に示すブロック図の一例である。
【０３４５】
図２０に示すように、本実施の形態１０に係る電力供給システム１００は、実施の形態１に係る電力供給システム１００と基本的構成は同じであるが、蓄電ユニット１０７からの出力電力が外部電力負荷１０５及び発電システム１０１の内部電力負荷１０２の少なくともいずれか一方に供給されるよう構成されている。
【０３４６】
具体的には、蓄電ユニット１０７と、連系点１０９及び外部電力負荷１０５の間の電路（配線２０１）とを接続点Ａにて電気的に接続する配線２０２が設けられている。また、蓄電ユニット１０７と、連系点１０９及び内部電力負荷１０２の間の電路（配線２０５）とを接続点Ｂにて電気的に接続する配線２０４が設けられている。
【０３４７】
ここで、配線２０２の途中には、継電器（リレー）２１３が設けられている。また、配線２０４には、継電器２１２が設けられている。また、連系点１０９と接続点Ａとの間の電路（配線２０１）には、継電器２１４が設けられている。また、連系点１０９と接続点Ｂとの間の電路（配線２０５）には、継電器２１１が設けられている。
【０３４８】
これにより、制御装置１１０は、継電器２１１〜継電器２１４を制御することにより、蓄電ユニット１０７から内部電力負荷１０２及び外部電力負荷１０５の少なくともいずれか一方への電力の供給を制御することができる。また、制御装置１１０は、継電器２１１〜継電器２１４を制御することにより、電力系統１０４から内部電力負荷１０２及び外部電力負荷１０５の少なくともいずれか一方への電力の供給を制御することができる。具体的には、制御装置１１０は、継電器２１１〜継電器２１４を以下のように制御する。
【０３４９】
（Ａ）電力系統１０４から外部電力負荷１０５に電力を供給し、蓄電ユニット１０７から内部電力負荷１０２に電力を供給する場合
制御装置１１０は、継電器２１２及び継電器２１４を閉じて、継電器２１１及び継電器２１３を開けるように制御する。これにより、電力系統１０４から、配線２０３及び配線２０１を介して、外部電力負荷１０５に電力が供給され、蓄電ユニット１０７から、配線２０４及び配線２０１を介して、内部電力負荷１０２に電力が供給される。
【０３５０】
（Ｂ）電力系統１０４から内部電力負荷１０２に電力を供給し、蓄電ユニット１０７から外部電力負荷１０５に電力を供給する場合
制御装置１１０は、継電器２１１及び継電器２１３を閉じて、継電器２１２及び継電器２１４を開けるように制御する。これにより、電力系統１０４から、配線２０３及び配線２０１を介して、内部電力負荷１０２に電力が供給され、蓄電ユニット１０７から、配線２０２及び配線２０１を介して、外部電力負荷１０５に電力が供給される。
【０３５１】
（Ｃ）電力系統１０４及び蓄電ユニット１０７共に、内部電力負荷１０２と外部電力負荷１０５の両方に電力を供給する場合
制御装置１１０は、継電器２１１、継電器２１２、及び継電器２１４を閉じて、継電器２１３を開けるように制御する。これにより、電力系統１０４から、配線２０３及び配線２０１を介して、内部電力負荷１０２及び外部電力負荷１０５の両方に電力を供給することができる。また、蓄電ユニット１０７から、配線２０４及び配線２０１を介して、内部電力負荷１０２及び外部電力負荷１０５の両方に電力を供給することができる。なお、制御装置１１０は、継電器２１１、継電器２１３、及び継電器２１４を閉じて、継電器２１２を開けるように制御してもよく、また、継電器２１１、継電器２１２、継電器２１３、及び継電器２１４を閉じるように制御してもよい。
【０３５２】
このように構成された本実施の形態１０に係る電力供給システム１００（電力供給システム１００の制御装置１１０）は、上記実施の形態１乃至９（変形例を含む）に係る電力供給システム１００（電力供給システム１００の制御装置１１０）と同様の制御動作を行うことにより、上記実施の形態１乃至９（変形例を含む）に係る電力供給システム１００（電力供給システム１００の制御装置１１０）と同様の作用効果を奏する。
【０３５３】
なお、本実施の形態１０においては、継電器２１１〜継電器２１４を用いて、蓄電ユニット１０７からの電力の供給を制御する形態を採用したが、これに限定されず、蓄電ユニット１０７からの電力が外部電力負荷１０５及び内部電力負荷１０２の少なくともいずれか一方に供給されるように構成されていれば、どのような形態を採用してもよい。
【０３５４】
ところで、上記実施の形態１〜１０（変形例を含む）に係る電力供給システム１００においては、電力検知器１０６を電力系統１０４と連系点１０９との間に設けるよう形態を採用したが、電力検知器１０６を連系点１０９と外部電力負荷１０５との間に設ける形態を採用しても構わない。この場合、電力検知器１０６は、外部電力負荷１０５の消費電力を検知する。このため、発電システム１０１（内部電力負荷１０２）及び外部電力負荷１０５の消費電力の合計は、電力検知器１０６の検出値と内部電力負荷１０２の消費電力を検知する電力検知器（図示せず）の検出値の合計となる。
【０３５５】
上記説明から、当業者にとっては、本発明の多くの改良や他の実施形態が明らかである。したがって、上記説明は、例示としてのみ解釈されるべきであり、本発明を実行する最良の形態を当業者に教示する目的で提供されたものである。本発明の要旨を逸脱することなく、その構造及び／又は機能の詳細を実質的に変更できる。また、上記実施形態に開示されている複数の構成要素の適宜な組合せにより種々の発明を形成できる。
【産業上の利用可能性】
【０３５６】
本発明に係る電力供給システム、電力供給システム制御装置、電力供給システムの運転方法、及び電力供給システムの制御方法は、従来の発電システムに比して、発電システムの起動性及び停止性の少なくともいずれか一方を向上させながら、電力系統からの上限電力を超えることが抑制されるため、有用である。
【符号の説明】
【０３５７】
１  改質器
２  ＣＯ低減器
３  電気ヒータ
１１  水素生成装置
１２  酸化剤ガス供給器
１３  燃料電池
１４  冷却媒体タンク
１５  電気ヒータ
３１  燃料ガス供給路
３３  冷却媒体経路
１００  電力供給システム
１０１  発電システム（燃料電池システム）
１０２  内部電力負荷
１０３  制御器
１０４  電力系統
１０５  外部電力負荷
１０６  電力検知器
１０７  蓄電ユニット
１０８  電力制御器
１０９  連系点
１１０  制御装置
１１０ａ  予測器
１１１  蓄電量検知器
２０１  配線
２０２  配線
２０３  配線
２０４  配線
２１１  継電器
２１２  継電器
２１３  継電器
２１４  継電器
【図１】
2012014474.tif 000003
【図２Ａ】
2012014474.tif 000004
【図２Ｂ】
2012014474.tif 000005
【図３Ａ】
2012014474.tif 000006
【図３Ｂ】
2012014474.tif 000007
【図４】
2012014474.tif 000008
【図５Ａ】
2012014474.tif 000009
【図５Ｂ】
2012014474.tif 000010
【図６Ａ】
2012014474.tif 000011
【図６Ｂ】
2012014474.tif 000012
【図７Ａ】
2012014474.tif 000013
【図７Ｂ】
2012014474.tif 000014
【図８Ａ】
2012014474.tif 000015
【図８Ｂ】
2012014474.tif 000016
【図９Ａ】
2012014474.tif 000017
【図９Ｂ】
2012014474.tif 000018
【図９Ｃ】
2012014474.tif 000019
【図９Ｄ】
2012014474.tif 000020
【図１０Ａ】
2012014474.tif 000021
【図１０Ｂ】
2012014474.tif 000022
【図１０Ｃ】
2012014474.tif 000023
【図１０Ｄ】
2012014474.tif 000024
【図１１Ａ】
2012014474.tif 000025
【図１１Ｂ】
2012014474.tif 000026
【図１２Ａ】
2012014474.tif 000027
【図１２Ｂ】
2012014474.tif 000028
【図１３Ａ】
2012014474.tif 000029
【図１３Ｂ】
2012014474.tif 000030
【図１４Ａ】
2012014474.tif 000031
【図１４Ｂ】
2012014474.tif 000032
【図１５Ａ】
2012014474.tif 000033
【図１５Ｂ】
2012014474.tif 000034
【図１６Ａ】
2012014474.tif 000035
【図１６Ｂ】
2012014474.tif 000036
【図１７Ａ】
2012014474.tif 000037
【図１７Ｂ】
2012014474.tif 000038
【図１７Ｃ】
2012014474.tif 000039
【図１７Ｄ】
2012014474.tif 000040
【図１８Ａ】
2012014474.tif 000041
【図１８Ｂ】
2012014474.tif 000042
【図１９Ａ】
2012014474.tif 000043
【図１９Ｂ】
2012014474.tif 000044
【図２０】
2012014474.tif 000045
【手続補正書】
【提出日】平成24年10月31日(2012.10.31)
【手続補正１】
【補正対象書類名】特許請求の範囲
【補正対象項目名】全文
【補正方法】変更
【補正の内容】
【特許請求の範囲】
【請求項１】
発電システムと、
前記発電システム及び外部電力負荷へ電力供給を行う蓄電ユニットと、
蓄電ユニットからの供給可能電力に基づいて前記発電システムの起動の許否を決定し、前記発電システムを起動するときに、前記発電システムの起動電力と前記外部電力負荷の消費電力との合計が電力系統から受電可能な上限電力を超えると予測される場合に、前記電力系統から供給される電力が、前記上限電力を超えないように、前記蓄電ユニットの電力を前記発電システム及び前記外部電力負荷の少なくともいずれか一方に供給するように制御する第１の制御、及び、前記発電システムの発電を停止するときに前記発電システムの停止電力と前記外部電力負荷の消費電力との合計が電力系統から受電可能な上限電力を超えると予測される場合に、前記電力系統から供給される電力が、前記上限電力を超えないように、前記蓄電ユニットの電力を前記発電システム及び前記外部電力負荷の少なくともいずれか一方に供給するように制御する第２の制御、の少なくともいずれか一方を実行するように構成されている制御装置と、を備える、電力供給システム。
【請求項２】
前記制御装置は、前記蓄電ユニットの蓄電量に基づいて前記発電システムの起動の許否を決定するように構成されている、請求項１記載の電力供給システム。
【請求項３】
前記制御装置は、前記蓄電ユニットの蓄電量に基づいて前記発電システムの起動モードを前記起動電力が相対的に大きい第１の起動モードと、前記起動電力が相対的に小さい第２の起動モードとの間で切替えるように構成されている、請求項１記載の電力供給システム。
【請求項４】
前記制御装置は、前記第２の起動モード中において、前記電力系統より前記蓄電ユニットに充電するように制御する、請求項３記載の電力供給システム。
【請求項５】
前記制御装置は、前記充電により蓄電ユニットの蓄電量が増加すると、前記第１の起動モードに切替えるように構成されている、請求項４記載の電力供給システム。
【請求項６】
前記制御装置は、前記外部電力負荷の消費電力が減少すると、前記第１の起動モードに切替えるように構成されている、請求項３記載の電力供給システム。
【請求項７】
前記制御装置は、前記蓄電ユニットからの供給可能電力に基づいて前記発電システムの起動処理の継続の許否を決定するように構成されている、請求項１記載の電力供給システム。
【請求項８】
前記制御装置は、前記蓄電ユニットからの供給可能電力に基づいて前記発電システムの起動モードを前記起動電力が相対的に大きい第１の起動モードと、前記起動電力が相対的に小さい第２の起動モードとの間で切替えるように構成されている、請求項１記載の電力供給システム。
【請求項９】
前記制御装置は、前記発電システムの起動予定時刻前に前記電力系統より前記蓄電ユニットに充電するよう制御する、請求項１記載の電力供給システム。
【請求項１０】
前記発電システムは、燃料電池システムであり、
前記燃料電池システムは、起動時に発電運転可能な温度に前記燃料電池システムの構成機器を昇温するための電気ヒータを備える、請求項１記載の電力供給システム。
【請求項１１】
前記制御装置は、前記蓄電ユニットの蓄電量に基づいて前記発電システムの発電の停止の許否を決定するように構成されている、請求項１又は２記載の電力供給システム。
【請求項１２】
前記制御装置は、前記蓄電ユニットの蓄電量に基づいて前記発電システムの停止モードを前記停止電力が相対的に大きい第１の停止モードと、前記停止電力が相対的に小さい第２の停止モードとの間で切替えるように構成されている、請求項１又は３記載の電力供給システム。
【請求項１３】
前記制御装置は、前記第２の停止モード中において、前記電力系統より前記蓄電ユニットに充電するように制御する、請求項１２記載の電力供給システム。
【請求項１４】
前記制御装置は、前記充電により前記蓄電ユニットの蓄電量が増加すると、前記第１の停止モードに切替えるように構成されている、請求項１３記載の電力供給システム。
【請求項１５】
前記制御装置は、前記外部電力負荷の消費電力が減少すると、前記第１の停止モードに切替えるように構成されている、請求項１２記載の電力供給システム。
【請求項１６】
前記制御装置は、前記蓄電ユニットからの供給可能電力に基づいて前記発電システムの発電の停止の許否を決定するように構成されている、請求項１記載の電力供給システム。
【請求項１７】
前記制御装置は、前記蓄電ユニットからの供給可能電力に基づいて前記発電システムの発電の停止後の処理動作の継続の許否を決定するように構成されている、請求項１又は７記載の電力供給システム。
【請求項１８】
前記制御装置は、前記蓄電ユニットからの供給可能電力に基づいて前記発電システムの停止モードを前記停止電力が相対的に大きい第１の停止モードと、前記停止電力が相対的に小さい第２の停止モードとの間で切替えるように構成されている、請求項１又は８記載の電力供給システム。
【請求項１９】
前記制御装置は、前記発電システムの発電の停止予定時刻前に前記電力系統及び前記発電システムの少なくともいずれか一方より前記蓄電ユニットに充電するよう制御する、請求項１又は９記載の電力供給システム。
【請求項２０】
前記発電システムは、燃料電池システムであり、
前記燃料電池システムは、該燃料電池システムにおける排ガスから回収した水を貯える水タンクを加熱するための電気ヒータを備える、請求項１記載の電力供給システム。
【請求項２１】
前記制御装置は、前記第１の制御及び前記第２の制御の少なくともいずれか一方を実行する場合に、前記電力系統から供給される電力が、前記上限電力を超えないように、前記蓄電ユニットの電力を前記外部電力負荷に供給するように制御する、請求項１に記載の電力供給システム。
【請求項２２】
発電システムと、外部電力負荷及び前記発電システム及び前記外部電力負荷に電力を供給する蓄電ユニットと、を備える電力供給システムを制御する電力供給システムの制御装置であって、
前記電力供給システムの制御装置は、前記蓄電ユニットからの供給可能電力に基づいて前記発電システムの起動の許否を決定し、前記発電システムを起動するときに、前記発電システムの起動電力と前記外部電力負荷の消費電力との合計が電力系統から受電可能な上限電力を超えると予測される場合に、前記電力系統から供給される電力が、前記上限電力を超えないように、前記蓄電ユニットの電力を前記発電システム及び前記外部電力負荷の少なくともいずれか一方に供給するように制御する第１の制御、及び、前記発電システムの発電を停止するときに前記発電システムの停止電力と前記外部電力負荷の消費電力との合計が電力系統から受電可能な上限電力を超えると予測される場合に、前記電力系統から供給される電力が、前記上限電力を超えないように、前記蓄電ユニットの電力を前記発電システム及び前記外部電力負荷の少なくともいずれか一方に供給するように制御する第２の制御、の少なくともいずれか一方を実行するように構成されている、電力供給システムの制御装置。
【請求項２３】
前記電力供給システムの制御装置は、前記蓄電ユニットの蓄電量に基づいて前記発電システムの起動の許否を決定するように構成されている、請求項２２記載の電力供給システムの制御装置。
【請求項２４】
前記電力供給システムの制御装置は、前記蓄電ユニットの蓄電量に基づいて前記発電システムの起動モードを前記起動電力が相対的に大きい第１の起動モードと、前記起動電力が相対的に小さい第２の起動モードとの間で切替えるように構成されている、請求項２２記載の電力供給システムの制御装置。
【請求項２５】
前記電力供給システムの制御装置は、前記第２の起動モード中において、前記電力系統より前記蓄電ユニットに充電するように制御する、請求項２４記載の電力供給システムの制御装置。
【請求項２６】
前記電力供給システムの制御装置は、前記充電により前記蓄電ユニットの蓄電量が増加すると、前記第１の起動モードに切替えるように構成されている、請求項２５記載の電力供給システムの制御装置。
【請求項２７】
前記電力供給システムの制御装置は、前記外部電力負荷の消費電力が減少すると、前記第１の起動モードに切替えるように構成されている、請求項２４記載の電力供給システムの制御装置。
【請求項２８】
前記電力供給システムの制御装置は、前記蓄電ユニットからの供給可能電力に基づいて前記発電システムの起動処理の継続の許否を決定するように構成されている、請求項２２記載の電力供給システムの制御装置。
【請求項２９】
前記電力供給システムの制御装置は、前記蓄電ユニットからの供給可能電力に基づいて前記発電システムの起動モードを前記起動電力が相対的に大きい第１の起動モードと、前記起動電力が相対的に小さい第２の起動モードとの間で切替えるように構成されている、請求項２２記載の電力供給システムの制御装置。
【請求項３０】
前記電力供給システムの制御装置は、前記発電システムの起動予定時刻前に前記電力系統より前記蓄電ユニットに充電するよう制御する、請求項２２記載の電力供給システムの制御装置。
【請求項３１】
前記電力供給システムの制御装置は、前記蓄電ユニットの蓄電量に基づいて前記発電システムの発電の停止の許否を決定するように構成されている、請求項２２又は２３記載の電力供給システムの制御装置。
【請求項３２】
前記電力供給システムの制御装置は、前記蓄電ユニットの蓄電量に基づいて前記発電システムの停止モードを前記停止電力が相対的に大きい第１の停止モードと、前記停止電力が相対的に小さい第２の停止モードとの間で切替えるように構成されている、請求項２２又は２４記載の電力供給システムの制御装置。
【請求項３３】
前記電力供給システムの制御装置は、前記第２の停止モード中において、前記電力系統より前記蓄電ユニットに充電するように制御する、請求項３２記載の電力供給システムの制御装置。
【請求項３４】
前記電力供給システムの制御装置は、前記充電により前記蓄電ユニットの蓄電量が増加すると、前記第１の停止モードに切替えるように構成されている、請求項３３記載の電力供給システムの制御装置。
【請求項３５】
前記電力供給システムの制御装置は、前記外部電力負荷の消費電力が減少すると、前記第１の停止モードに切替えるように構成されている、請求項３２記載の電力供給システムの制御装置。
【請求項３６】
前記電力供給システムの制御装置は、前記蓄電ユニットからの供給可能電力に基づいて前記発電システムの発電の停止の許否を決定するように構成されている、請求項２２記載の電力供給システムの制御装置。
【請求項３７】
前記電力供給システムの制御装置は、前記蓄電ユニットからの供給可能電力に基づいて前記発電システムの発電の停止後の処理動作の継続の許否を決定するように構成されている、請求項２２又は２８記載の電力供給システムの制御装置。
【請求項３８】
前記電力供給システムの制御装置は、前記蓄電ユニットからの供給可能電力に基づいて前記発電システムの停止モードを前記停止電力が相対的に大きい第１の停止モードと、前記停止電力が相対的に小さい第２の停止モードとの間で切替えるように構成されている、請求項２２又は２９記載の電力供給システムの制御装置。
【請求項３９】
前記電力供給システムの制御装置は、前記発電システムの発電の停止予定時刻前に前記電力系統及び前記発電ユニットの少なくともいずれか一方より前記蓄電ユニットに充電するよう制御する、請求項２２又は３０記載の電力供給システムの制御装置。
【請求項４０】
前記電力供給システムの制御装置は、前記第１の制御及び前記第２の制御の少なくともいずれか一方を実行する場合に、前記電力系統から供給される電力が、前記上限電力を超えないように、前記蓄電ユニットの電力を前記外部電力負荷に供給するように制御する、請求項２２に記載の電力供給システムの制御装置。
【請求項４１】
蓄電ユニットからの供給可能電力に基づいて発電システムの起動の許否を決定し、前記発電システムを起動するときに前記発電システムの起動電力と外部電力負荷の消費電力との合計が電力系統から受電可能な上限電力を超えるか否かを予測するステップと、前記合計が前記上限電力を超えると予測される場合に、前記電力系統から供給される電力が、前記上限電力を超えないように、蓄電ユニットの電力を前記発電システム及び前記外部電力負荷の少なくともいずれか一方に供給するステップとを備える第１の制御と、
前記発電システムの発電を停止するときに前記発電システムの停止電力と前記外部電力負荷の消費電力との合計が電力系統から受電可能な上限電力を超えるか否かを予測するステップと、前記合計が前記上限電力を超えると予測される場合に、前記電力系統から供給される電力が、前記上限電力を超えないように、前記蓄電ユニットの電力を前記発電システム及び外部電力負荷の少なくともいずれか一方に供給するステップとを備える第２の制御と、の少なくともいずれか一方を実行する、電力供給システムの運転方法。
【請求項４２】
蓄電ユニットからの供給可能電力に基づいて発電システムの起動の許否を決定し、前記発電システムを起動するときに前記発電システムの起動電力と外部電力負荷の消費電力との合計が電力系統から受電可能な上限電力を超えるか否かを予測するステップと、前記合計が前記上限電力を超えると予測される場合に、前記電力系統から供給される電力が、前記上限電力を超えないように、蓄電ユニットの電力を前記発電システム及び外部電力負荷の少なくともいずれか一方に供給するステップとを備える第１の制御と、
前記発電システムの発電を停止するときに前記発電システムの停止電力と前記外部電力負荷の消費電力との合計が電力系統から受電可能な上限電力を超えるか否かを予測するステップと、前記合計が前記上限電力を超えると予測される場合に、前記電力系統から供給される電力が、前記上限電力を超えないように、前記蓄電ユニットの電力を前記発電システム及び外部電力負荷の少なくともいずれか一方に供給するステップとを備える第２の制御と、の少なくともいずれか一方を実行する、電力供給システムの制御方法。
【国際調査報告】
2012014474.tif 000046
2012014474.tif 000047